(57)【特許請求の範囲】
【請求項１】
ワイヤレスデバイス（１１０Ａ〜Ｃ）において実装される、測定ギャップおよびサウンディング参照信号（ＳＲＳ）スイッチングを設定するための方法（４００）であって、
ＳＲＳスイッチング対象の少なくとも１つの第１の無線信号を送信するための第１の設定を取得することであって、前記第１の設定は、キャリアおよび／またはアンテナの間の前記ＳＲＳスイッチングに関連しているＳＲＳ送信設定を含み、前記第１の無線信号はランダムアクセスチャネル（ＲＡＣＨ）またはＳＲＳ信号である、第１の設定を取得することと、
少なくとも１つの第２の無線信号を受信するための測定ギャップを指示する第２の設定を取得することと、
前記第１の設定を、前記第２の設定を適用しながらＳＲＳスイッチング対象の前記少なくとも１つの第１の無線信号を送信するように適応させることと、ここで、適応させた第１の設定は、前記第２の設定の前記測定ギャップによる重複を回避または低減するためにキャリア間のスイッチングの周期性を変更するものであり、
ＳＲＳスイッチング対象の前記少なくとも１つの第１の無線信号を、前記第２の設定を適用しながら前記適応させた第１の設定に従って送信することと、を含む、方法（４００）。
【請求項２】
前記ワイヤレスデバイスが、前記第２の設定に従って前記少なくとも１つの第２の信号と関連付けられた測定を行い、かつ前記適応させた第１の設定に従って前記少なくとも１つの第１の信号を送信する間に、１つまたは複数の測定要件が満たされるであろうことを判断することをさらに含む、請求項１に記載の方法。
【請求項３】
前記少なくとも１つの第１の信号は、前記第２の設定に従って前記測定ギャップの間に第１のキャリア上で受信される前記少なくとも１つの第２の信号に基づいて測定の性能に悪影響を与えることなく前記測定ギャップの間に前記第１のキャリア上で、前記適応させた第１の設定に従って送信される、請求項２に記載の方法。
【請求項４】
前記適応させた第１の設定は、
前記ワイヤレスデバイスによる送信が可能とされるＳＲＳ送信のパーセンテージ、
前記ワイヤレスデバイスによって減少させるＳＲＳ送信のパーセンテージ、
前記ワイヤレスデバイスによる送信が可能とされるＳＲＳ送信数、および
前記ワイヤレスデバイスによって減少させるＳＲＳ送信数
のうちの少なくとも１つを特定する、請求項１から３のいずれか一項に記載の方法。
【請求項５】
前記適応させた第１の設定は、
前記測定ギャップによる重複を低減するための、前記少なくとも１つの第１の信号を送信するための時間リソース、
前記測定ギャップの間に生じない前記少なくとも１つの第１の信号を送信するための時間リソース、および
前記測定ギャップによる重複を回避または低減するために前記少なくとも１つの第１の信号を送信しないための時間リソース
のうちの少なくとも１つを特定する、請求項１から３のいずれか一項に記載の方法。
【請求項６】
前記第１の設定を適応させることは、
少なくとも１つの性能特性、要件、または対象を取得することと、
前記少なくとも１つの性能特性、要件、または対象に従って前記第１の設定を適応させることと、
を含む、請求項１から５のいずれか一項に記載の方法。
【請求項７】
前記適応させた第１の設定を、ネットワークノード（１１５Ａ〜Ｃ）または別のワイヤレスデバイスに送信することをさらに含む、請求項１から６のいずれか一項に記載の方法。
【請求項８】
前記適応させた第１の設定をネットワークノード（１１５Ａ〜Ｃ）から受信することをさらに含む、請求項１から７のいずれか一項に記載の方法。
【請求項９】
測定ギャップおよびサウンディング参照信号（ＳＲＳ）スイッチングを設定するためのワイヤレスデバイス（１１０Ａ〜Ｃ）であって、
命令を記憶するメモリ（２３０）と、
前記命令を実行して、前記ワイヤレスデバイスに、
ＳＲＳスイッチング対象の少なくとも１つの第１の無線信号を送信するための第１の設定を取得させ、前記第１の設定は、キャリアおよび／またはアンテナの間の前記ＳＲＳスイッチングに関連しているＳＲＳ送信設定を含み、前記第１の無線信号はランダムアクセスチャネル（ＲＡＣＨ）またはＳＲＳ信号であり、
少なくとも１つの第２の無線信号を受信するための測定ギャップを指示する第２の設定を取得させ、
前記第１の設定を、前記第２の設定を適用しながらＳＲＳスイッチング対象の前記少なくとも１つの第１の無線信号を送信するように適応させ、ここで、適応させた第１の設定は、前記第２の設定の前記測定ギャップによる重複を回避または低減するためにキャリア間のスイッチングの周期性を変更するものであり、かつ
ＳＲＳスイッチング対象の前記少なくとも１つの第１の無線信号を、前記第２の設定を適用しながら前記適応させた第１の設定に従って送信させるように動作可能なプロセッサ（２２０）と、を含む、ワイヤレスデバイス（１１０Ａ〜Ｃ）。
【請求項１０】
前記プロセッサは、前記ワイヤレスデバイスが、前記第２の設定に従って前記少なくとも１つの第２の信号と関連付けられた測定を行い、かつ前記適応させた第１の設定に従って前記少なくとも１つの第１の信号を送信する間に、１つまたは複数の測定要件が満たされるであろうことの第１の判断を前記ワイヤレスデバイスに行わせるようにさらに実行される、請求項９に記載のワイヤレスデバイス。
【請求項１１】
前記適応させた第１の設定は、
前記ワイヤレスデバイスによる送信が可能とされるＳＲＳ送信のパーセンテージ、
前記ワイヤレスデバイスによって減少させるＳＲＳ送信のパーセンテージ、
前記ワイヤレスデバイスによる送信が可能とされるＳＲＳ送信数、
前記ワイヤレスデバイスによって減少させるＳＲＳ送信数、
前記測定ギャップによる重複を低減するために前記少なくとも１つの第１の信号を送信するための時間リソース、
前記測定ギャップの間に生じない前記少なくとも１つの第１の信号を送信するための時間リソース、および
前記測定ギャップによる重複を回避または低減するために前記少なくとも１つの第１の信号を送信しないための時間リソース
のうちの少なくとも１つを特定する、請求項９または１０に記載のワイヤレスデバイス。
【請求項１２】
前記プロセッサは、前記ワイヤレスデバイスに、前記適応させた第１の設定を、ネットワークノード（１１５Ａ〜Ｃ）または別のワイヤレスデバイス（１１０Ａ〜Ｃ）に送信させるようにさらに実行される、請求項９から１１のいずれか一項に記載のワイヤレスデバイス。
【請求項１３】
ネットワークノード（１１５Ａ〜Ｃ）において実装される、測定ギャップおよびサウンディング参照信号（ＳＲＳ）スイッチングを設定するための方法（８００）であって、
ワイヤレスデバイス（１１０Ａ〜Ｃ）によってＳＲＳスイッチング対象の少なくとも１つの第１の無線信号の送信と関連付けられた第１の設定を取得することであって、前記第１の設定は、キャリアおよび／またはアンテナの間の前記ＳＲＳスイッチングに関連しているＳＲＳ送信設定を含み、前記第１の無線信号はランダムアクセスチャネル（ＲＡＣＨ）またはＳＲＳ信号である、第１の設定を取得することと、
前記ワイヤレスデバイスによって少なくとも１つの第２の無線信号を受信するための測定ギャップを指示する第２の設定を取得することと、
前記第１の設定を、前記第２の設定を適用しながらＳＲＳスイッチング対象の前記少なくとも１つの第１の無線信号の前記ワイヤレスデバイスによる前記送信に適応させることと、ここで、適応させた第１の設定は、前記第２の設定の前記測定ギャップによる重複を回避または低減するためにキャリア間のスイッチングの周期性を変更するものであり、
前記ワイヤレスデバイスに前記適応させた第１の設定を送信することと、を含む、方法（８００）。
【請求項１４】
前記ワイヤレスデバイスが、前記第２の設定に従って前記少なくとも１つの第２の信号と関連付けられた測定を行い、かつ前記適応させた第１の設定に従って前記少なくとも１つの第１の信号を送信する間に、前記ワイヤレスデバイスが１つまたは複数の測定要件を満たすことができることを判断することをさらに含む、請求項１３に記載の方法。
【請求項１５】
前記少なくとも１つの第１の信号は、前記第２の設定に従って前記測定ギャップの間に第１のキャリア上で受信される前記少なくとも１つの第２の信号に基づいて測定の性能に悪影響を与えることなく前記測定ギャップの間に前記第１のキャリア上で、前記適応させた第１の設定に従って前記ワイヤレスデバイスによって送信可能である、請求項１４に記載の方法。
【請求項１６】
前記適応させた第１の設定は、
前記ワイヤレスデバイスによる送信が可能とされるＳＲＳ送信のパーセンテージ、
前記ワイヤレスデバイスによって減少させるＳＲＳ送信のパーセンテージ、
前記ワイヤレスデバイスによる送信が可能とされるＳＲＳ送信数、および
前記ワイヤレスデバイスによって減少させるＳＲＳ送信数
のうちの少なくとも１つを特定する、請求項１３から１５のいずれか一項に記載の方法。
【請求項１７】
前記適応させた第１の設定は、
前記測定ギャップによる重複を低減するために前記少なくとも１つの第１の信号を送信するための時間リソース、
前記測定ギャップの間に生じない前記少なくとも１つの第１の信号を送信するための時間リソース、および
前記測定ギャップによる重複を回避または低減するために前記少なくとも１つの第１の信号を送信しないための時間リソース
のうちの少なくとも１つを特定する、請求項１３から１５のいずれか一項に記載の方法。
【請求項１８】
前記第１の設定を適応させることは、
少なくとも１つの性能特性、要件、または対象を取得することと、
前記少なくとも１つの性能特性、要件、または対象に従って前記第１の設定を適応させることと、を含む、請求項１３から１７のいずれか一項に記載の方法。
【請求項１９】
測定ギャップおよびサウンディング参照信号（ＳＲＳ）スイッチングを設定するためのネットワークノード（１１５Ａ〜Ｃ）であって、
命令を記憶するメモリ（７３０）と、
前記命令を実行して、前記ネットワークノードに、
ワイヤレスデバイス（１１０Ａ〜Ｃ）によってＳＲＳスイッチング対象の少なくとも１つの第１の無線信号の送信と関連付けられた第１の設定を取得させ、前記第１の設定は、キャリアおよび／またはアンテナの間の前記ＳＲＳスイッチングに関連しているＳＲＳ送信設定を含み、前記第１の無線信号はランダムアクセスチャネル（ＲＡＣＨ）またはＳＲＳ信号であり、
前記ワイヤレスデバイスによって少なくとも１つの第２の無線信号を受信するための測定ギャップを指示する第２の設定を取得させ、
前記第１の設定を、前記第２の設定を適用しながらＳＲＳスイッチング対象の前記少なくとも１つの第１の無線信号の前記ワイヤレスデバイスによる前記送信に適応させ、ここで、適応させた第１の設定は、前記第２の設定の前記測定ギャップによる重複を回避または低減するためにキャリア間のスイッチングの周期性を変更するものであり、かつ
前記適応させた第１の設定を前記ワイヤレスデバイスに送信させるように動作可能なプロセッサ（７２０）と、を含む、ネットワークノード（１１５Ａ〜Ｃ）。
【請求項２０】
前記プロセッサは、前記命令を実行して、前記ワイヤレスデバイスが、前記第２の設定に従って前記少なくとも１つの第２の信号と関連付けられた測定を行い、かつ前記適応させた第１の設定に従って前記少なくとも１つの第１の信号を送信する間に、前記ワイヤレスデバイスが１つまたは複数の測定要件を満たすことができることを、前記ネットワークノードに判断させるようにさらに設定される、請求項１９に記載のネットワークノード。
【請求項２１】
前記適応させた第１の設定は、
前記ワイヤレスデバイスによる送信が可能とされるＳＲＳ送信のパーセンテージ、
前記ワイヤレスデバイスによって減少させるＳＲＳ送信のパーセンテージ、
前記ワイヤレスデバイスによる送信が可能とされるＳＲＳ送信数、
前記ワイヤレスデバイスによって減少させるＳＲＳ送信数、
前記測定ギャップによる重複を低減するために前記少なくとも１つの第１の信号を送信するための時間リソース、
前記測定ギャップの間に生じない前記少なくとも１つの第１の信号を送信するための時間リソース、および
前記測定ギャップによる重複を回避または低減するために前記少なくとも１つの第１の信号を送信しないための時間リソース
のうちの少なくとも１つを特定する、請求項１９または２０に記載のネットワークノード。
【請求項２２】
前記第１の設定を適応させることは、
少なくとも１つの性能特性、要件、または対象を取得することと、
前記少なくとも１つの性能特性、要件、または対象に従って前記第１の設定を適応させることと、を含む、請求項１９から２１のいずれか一項に記載のネットワークノード。
【請求項２３】
少なくとも１つのプログラマブルプロセッサに、請求項１から８および１３から１８のいずれか一項に記載の方法を行わせるためのコンピュータ可読命令を含む、コンピュータプログラム。
【請求項２４】
請求項２３に記載のコンピュータプログラムを記憶する、コンピュータ可読媒体。
【発明の詳細な説明】
【技術分野】
【０００１】
本開示は、一般に、ワイヤレス通信に関し、より詳細には、測定ギャップおよびサウンディング参照信号スイッチングを設定するためのシステムおよび方法に関する。
【背景技術】
【０００２】
サウンディング参照信号（ＳＲＳ）は、ユーザ機器（ＵＥ）を含むことができるワイヤレスデバイスによって送信されることで、ｅＮｏｄｅＢを含むことができるネットワークノードは、種々のアップリンクチャネルプロパティを推定することができる、知られている信号である。これらの推定は、とりわけ、アップリンク（ＵＬ）およびダウンリンク（ＤＬ）が同じ周波数を使用する時分割複信（ＴＤＤ）の場合に、アップリンクスケジューリングおよびリンク適応だけでなく、ダウンリンク多重アンテナ送信に使用されてよい。図１は、単一のＯＦＤＭシンボルの期間を有するＳＲＳのアップリンク送信サブフレームを示す。
【０００３】
ＳＲＳは、１ｍｓのアップリンクサブフレームの最終シンボルで送信可能であり、ＴＤＤの場合、ＳＲＳはまた、特別なスロットのアップリンクパイロットタイムスロット（ＵｐＰＴＤ）で送信可能である。ＵｐＰＴＳの長さは１つまたは２つのシンボルであるように設定可能である。図２は、ＴＤＤの例を示す。より具体的には、図２は、１０ｍｓの無線フレーム内で３ＤＬ：２ＵＬであるＴＤＤの例を示す。８シンボルまではＳＲＳのために確保されてよい。
【０００４】
ＳＲＳ帯域幅、ＳＲＳ周波数領域位置、ＳＲＳホッピングパターン、およびＳＲＳサブフレーム設定などのＳＲＳシンボルの設定は、無線リソース制御（ＲＲＣ）情報エレメントの一部として半静的に設定される。
【０００５】
ＬＴＥ  ＵＬに２つのタイプのＳＲＳ送信があり、これらは定期ＳＲＳ送信および非定期ＳＲＳ送信である。定期ＳＲＳはＲＲＣシグナリングによって設定される規則的な時間インスタンスで送信される。非定期ＳＲＳは、物理データ制御チャネル（ＰＤＣＣＨ）でシグナリングすることによってトリガされる１回限りの送信である。
【０００６】
ＳＲＳに関連している２つの異なる設定もある。第１の設定は、セル内のＳＲＳ送信にどのサブフレームが使用可能であるかを指示するセル固有ＳＲＳ設定である。図２は、例示のセル固有ＳＲＳ設定を示す。
【０００７】
ＳＲＳに関連している第２の設定は、ワイヤレスデバイス固有設定である。ワイヤレスデバイス固有設定は、端末に、（セル内のＳＲＳ送信のために予約されたサブフレームの中の）サブフレームのあるパターン、およびその固有ワイヤレスデバイスのＳＲＳ送信に使用される周波数領域リソースを指示する。この設定はまた、ワイヤレスデバイスが、周波数領域コームおよび巡回シフトなど、信号を送信する時に使用するものとする他のパラメータを含む。これは、種々のワイヤレスデバイスからのサウンディング参照信号が、２つのワイヤレスデバイスのＳＲＳが種々のサブフレームで送信されるようなＵＥ固有設定を使用することによって時間領域において多重化可能であることを意味する。
【０００８】
さらに、同じシンボル内で、サウンディング参照信号は周波数領域において多重化可能である。サブキャリアのセットは、サブキャリアの２つのセットに分割されてよい、または、それぞれのこのようなセットにおいて、それぞれ、偶数サブキャリアおよび奇数サブキャリアによる組み合わせであってよい。さらに、ワイヤレスデバイスは、追加の周波数領域多重化（ＦＤＭ）を得るために種々の帯域幅を有してよい。この組み合わせは、種々の帯域幅、また重複している帯域幅による信号のＦＤＭを可能にする。さらに、符号分割多重化を使用できる。さらにまた、種々のユーザは、基本的なベースシーケンスの種々のシフトを使用することによって、全く同じ時間および周波数領域リソースを使用することができる。
【０００９】
ＬＴＥネットワークには、アグリゲートされたアップリンクコンポーネントキャリア（ＣＣ）の数より多い数のアグリゲートされたダウンリンクＣＣをもたらす多くの種類のダウンリンクのより混雑したトラフィックがある。既存のワイヤレスデバイスカテゴリについて、典型的なキャリアアグリゲーション（ＣＡ）対応のワイヤレスデバイスは、１つまたは２つのアップリンクＣＣのみをサポートする。
【００１０】
アップリンクおよびダウンリンク両方をサポートするキャリアについて、プリコーディング行列指標（ＰＭＩ）がなくＳＲＳを有する送信ダイバーシチベースフィードバックは、チャネル相互関係が使用可能である際に有益である。しかしながら、ワイヤレスデバイスは一般的に、ＵＬよりも多数のＤＬキャリアをアグリゲートする能力を有する。その結果、ワイヤレスデバイスのＤＬ送信によるＴＤＤキャリアの一部は、ＳＲＳを含むＵＬ送信を有さないことになり、チャネル相互関係はこれらのキャリアに利用できない。このような状況は、ＣＣの大部分がＴＤＤである３２までのＣＣのＣＡ拡張によってより厳しくなる。ＴＤＤ  ＵＬキャリアに対するかつこれらの間の高速キャリアスイッチングを可能にすることは、これらのＴＤＤキャリア上でのＳＲＳ送信を可能にするための解決策とすることができ、サポートされるべきである。
【００１１】
Ｅ−ＵＴＲＡＮおよびＵＴＲＡＮにおけるＲＲＣ接続状態における周波数間および無線アクセス間技術（ＲＡＴ間）の測定を可能にするために、ネットワークは、受信周波数をスイッチし、無線測定を行い、サービング周波数に戻すようにスイッチするいくらかの時間をワイヤレスデバイスに与える測定ギャップを設定してよい。測定ギャップの間、ワイヤレスデバイスはサービングキャリア周波数上で受信または送信ができない。
【００１２】
両方共６ｍｓの測定ギャップ長を有する２つの定期測定ギャップパターンは、ＴＳ３６．１３３  ｖ  １３．３．０におけるＬＴＥに対して規定される。第１のパターンは、４０ｍｓの周期の測定ギャップパターン＃０である。第２のパターンは、８０ｍｓの周期の測定ギャップパターン＃１である。
【００１３】
測定ギャップは、解放コマンドおよびギャップオフセット（それぞれ、０．３９または０．７９）を含有する、ＲＲＣシグナリングにおけるＭｅａｓＧａｐＣｏｎｆｉｇによって設定される。それぞれのギャップは、システムフレーム番号（ＳＦＮ）を有するフレーム、および下記の、ＳＦＮ  ｍｏｄ  Ｔ＝ＦＬＯＯＲ（ｇａｐＯｆｆｓｅｔ／１０）、ｓｕｂｆｒａｍｅ＝ｇａｐＯｆｆｓｅｔ  ｍｏｄ  １０で、Ｔ＝ＭＧＲＰ／１０であり、ＭＧＲＰが４０または８０であるという条件を満たすインデックスを有するサブフレームで開始する。
【００１４】
ネットワーク設定測定ギャップに加えて、ワイヤレスデバイスはまた、例えば、システム情報を読み出し、ＣＧＩを獲得し、他の動作を行うための自律ギャップを使用することができる。
【００１５】
例えば、２ｍｓ、３ｍｓ、４ｍｓ、および他の長さといったより短い測定ギャップ長の追加の測定ギャップパターンは、また、ＴＲ３６．９８４  ｖ  １３．０．０において検討されかつ捕らえられている。同様に、例えば、８０ｍｓといったより長い周期性を有するギャップパターンはまた、ＴＲ３６．９８４  ｖ  １３．０．０において検討されかつ捕らえられている。これらの測定ギャップは、小ギャップ、より短いギャップ、同期動作に対するギャップ、または別の適した用語で区別なく呼ばれてよい。図３は、測定ギャップパターンに関連している例示のパラメータを示す。
【００１６】
少なくとも２つの問題は、並列に使用されるＳＲＳスイッチングおよび測定ギャップが考えられ得る。第一に、測定ギャップはＳＲＳ送信を阻止する場合がある。第二に、ワイヤレスデバイス挙動は、ワイヤレスデバイスがＳＲＳ送信で設定され、かつ測定ギャップを必要とする動作を行う必要がある場合に不明確である。
【発明の概要】
【００１７】
既存の解決策による先述の問題に対処するために、測定ギャップ、およびサウンディング参照信号（ＳＲＳ）スイッチングを設定するためのシステムおよび方法が開示される。
【００１８】
ある特定の実施形態によると、測定ギャップおよびＳＲＳスイッチングを設定するための方法は、ワイヤレスデバイスにおいて実装される。方法は、ＳＲＳスイッチング対象の少なくとも１つの第１の無線信号を送信するための第１の設定を取得することを含む。少なくとも１つの第２の無線信号を受信するための測定ギャップを指示する第２の設定が取得される。第１の設定は、第２の設定を適用しながらＳＲＳスイッチング対象の少なくとも１つの第１の無線信号を送信するように適応される。ＳＲＳスイッチング対象の少なくとも１つの第１の無線信号は、第２の設定を適用しながら適応させた第１の設定に従って送信される。
【００１９】
ある特定の実施形態によると、測定ギャップおよびＳＲＳスイッチングを設定するためのワイヤレスデバイスが提供される。ワイヤレスデバイスは、命令を記憶するメモリと、命令を実行するように動作可能なプロセッサであって、該命令によって、プロセッサに、ＳＲＳスイッチング対象の少なくとも１つの第１の無線信号を送信するための第１の設定を取得させ、かつ少なくとも１つの第２の無線信号を受信するための測定ギャップを指示する第２の設定を取得させる、プロセッサとを含んでよい。第１の設定は、第２の設定を適用しながらＳＲＳスイッチング対象の少なくとも１つの第１の無線信号を送信するように適応される。ＳＲＳスイッチング対象の少なくとも１つの第１の無線信号は、第２の設定を適用しながら適応させた第１の設定に従って送信される。
【００２０】
ある特定の実施形態によると、ネットワークノードによって測定ギャップおよびＳＲＳスイッチングを設定するための方法が提供される。方法は、ワイヤレスデバイスによってＳＲＳスイッチング対象の少なくとも１つの第１の無線信号の送信と関連付けられた第１の設定を取得することを含むことができる。ワイヤレスデバイスによって少なくとも１つの第２の無線信号を受信するための測定ギャップを指示する第２の設定が取得される。第１の設定は、第２の設定を適用しながらＳＲＳスイッチング対象の少なくとも１つの第１の無線信号のワイヤレスデバイスによる送信に適応される。適応させた第１の設定はワイヤレスデバイスに送信される。
【００２１】
ある特定の実施形態によると、測定ギャップおよびＳＲＳスイッチングを設定するためのネットワークノードが提供される。ネットワークノードは、命令を記憶するメモリと、命令を実行するように動作可能なプロセッサであって、該命令によって、プロセッサに、ワイヤレスデバイスによってＳＲＳスイッチング対象の少なくとも１つの第１の無線信号の送信と関連付けられた第１の設定を取得させる、プロセッサと、を含んでよい。ワイヤレスデバイスによって少なくとも１つの第２の無線信号を受信するための測定ギャップを指示する第２の設定が取得される。第１の設定は、第２の設定を適用しながらＳＲＳスイッチング対象の少なくとも１つの第１の無線信号のワイヤレスデバイスによる送信に適応される。適応させた第１の設定はワイヤレスデバイスに送信される。
【００２２】
本開示のある特定の実施形態は、１つまたは複数の技術的な利点を提供することができる。例えば、ある特定の実施形態は、ＳＲＲスイッチングが設定される時に周波数間およびＲＡＴ間測定の性能を保証することができる。別の技術的な利点は、ある特定の実施形態が、測定ギャップが使用される時のＳＲＳスイッチングの性能を保証することであってよい。さらに別の技術的な利点は、ワイヤレスデバイスが測定ギャップを使用しており、かつＳＲＳスイッチングが設定される場合の明確なワイヤレスデバイス挙動であってよい。
【００２３】
他の利点は当業者には容易に明らかとなり得る。ある特定の実施形態は、示された利点を一切有さない場合がある、または、該利点の一部または全てを有する場合がある。
【００２４】
開示された実施形態、ならびにこれらの特徴および利点をより詳しく理解してもらうために、ここで、添付の図面と併せて以下の説明を参照する。
【図面の簡単な説明】
【００２５】
【図１】単一の直交周波数分割多重シンボルの期間を有するサウンディング参照信号（ＳＲＳ）のアップリンク送信サブフレームを示す図である。
【図２】例示の時分割複信（ＴＤＤ）サブフレームを示す図である。
【図３】測定ギャップパターンに関連している例示のパラメータを示す図である。
【図４】ある特定の実施形態に従って、測定ギャップおよびＳＲＳスイッチングを設定するための例示のネットワークを示す図である。
【図５】ある特定の実施形態に従って、測定ギャップおよびＳＲＳスイッチングを設定するための例示のワイヤレスデバイスを示す図である。
【図６】ある特定の実施形態に従って、例示のＣＣ組み合わせを示す図である。
【図７Ａ−７Ｆ】ある特定の実施形態に従って、ワイヤレスデバイスによって測定ギャップおよびＳＲＳスイッチングを設定するための例示の方法を示す図である。
【図８】ある特定の実施形態に従って、測定ギャップおよびＳＲＳスイッチングを設定するための例示の仮想コンピューティングデバイスを示す図である。
【図９】ある特定の実施形態に従って、測定ギャップおよびＳＲＳスイッチングを設定するための別の例示の仮想コンピューティングデバイスを示す図である。
【図１０】ある特定の実施形態に従って、測定ギャップおよびＳＲＳスイッチングを設定するための例示のネットワークノードを示す図である。
【図１１Ａ−１１Ｄ】ある特定の実施形態に従って、ネットワークノードによって測定ギャップおよびＳＲＳを設定するための例示の方法を示す図である。
【図１２】ある特定の実施形態に従って、測定ギャップおよびＳＲＳスイッチングを設定するための別の例示の仮想コンピューティングデバイスを示す図である。
【図１３】ある特定の実施形態に従って、測定ギャップおよびＳＲＳスイッチングを設定するための別の例示の仮想コンピューティングデバイスを示す図である。
【図１４】ある特定の実施形態に従って、測定ギャップおよびＳＲＳスイッチングを設定するための例示の無線ネットワークコントローラまたはコアネットワークノードを示す図である。
【発明を実施するための形態】
【００２６】
測定ギャップおよびサウンディング参照信号スイッチングを設定するためのシステムおよび方法が開示される。ある特定の実施形態は、サウンディングリソース信号（ＳＲＳ）スイッチングが設定される時に周波数間および無線アクセス間技術（ＲＡＴ間）の測定の性能を保証することができる。さらにまたは代替的に、ある特定の実施形態は、測定ギャップが使用される時のＳＲＳスイッチングの性能を保証する。特定の実施形態は図面の図１〜図１４に説明されており、同様の数字はさまざまな図面の同様のおよび対応する一部に使用されている。
【００２７】
用語の無線アクセス技術、すなわちＲＡＴは、例えば、ＵＴＲＡ、Ｅ−ＵＴＲＡ、狭帯域のモノのインターネット（ＮＢ−ＩｏＴ）、ＷｉＦｉ、Ｂｌｕｅｔｏｏｔｈ、次世代ＲＡＴ（ＮＲ）、４Ｇ、５Ｇ、または他の適した技術といった任意のＲＡＴに言及することができる。第１のノードおよび第２のノードの任意のものは、単一のまたは複数のＲＡＴをサポート可能としてよい。
【００２８】
本明細書で使用される測定ギャップという用語は、例えば、ネットワーク設定された測定ギャップおよび／もしくはＵＥ設定された測定ギャップ、または自律ギャップを含んでよい。測定ギャップは、多重キャリア周波数および／またはＲＡＴに対して共通で（例えば、これらによって共有されて）よい、または、それらの１つまたはグループに固有であってよい。測定ギャップのいくつかの非限定的な例は、「背景技術」の節で説明されているようなものである。
【００２９】
本明細書で使用される時間リソースという用語は、時間の長さに関して表現される任意のタイプの物理リソースまたは無線リソースに対応することができる。時間リソースの例は、シンボル、タイムスロット、サブフレーム、無線フレーム、ＴＴＩ、インターリーブ時間などである。
【００３０】
本明細書で使用される無線信号は、任意の無線信号、物理チャネル、または論理チャネル、例えば、参照信号、同期信号、位置決め測定に使用される信号、制御チャネル、データチャネル、マルチキャストまたはブロードキャストチャネル、例えば、システム情報といった具体的なタイプの情報を伝達するチャネルなどを含んでよい。信号／チャネルは、例えば、ＵＥ固有、ＴＰ固有、セル固有、またはエリア固有であってよい。信号／チャネルは、ユニキャスト、マルチキャスト、またはブロードキャスト式に送信可能である。
【００３１】
本明細書で使用される無線測定という用語は、無線信号上で行われる任意の測定に言及することができる。無線測定は絶対または相対とすることができる。無線測定は、例えば、周波数内、周波数間、ＣＡなどとすることができる。無線測定は、一方向（例えば、ＤＬまたはＵＬ）または双方向（例えば、ＲＴＴ、Ｒｘ−Ｔｘなど）とすることができる。無線測定のいくつかの例として、タイミング測定（例えば、ＴＯＡ、タイミングアドバンス、ＲＴＴ、ＲＳＴＤ、ＳＳＴＤ、Ｒｘ−Ｔｘ、伝搬遅延など）、角度測定（例えば、到来角）、電力ベース測定（例えば、受信信号電力、ＲＳＲＰ、受信信号品質、ＲＳＲＱ、ＳＩＮＲ、ＳＮＲ、ＣＳＩ、ＣＱＩ、ＰＭＩ、干渉電力、総干渉プラス雑音、ＲＳＳＩ、雑音電力など）、セル検出または特定、ビーム検出またはビーム特定、システム情報読み出し、ＲＬＭなどが挙げられる。
【００３２】
本明細書で使用される参照信号（ＲＳ）という用語は、ネットワークノードが、例えば、ＵＬ  ＳＮＲ、ＳＩＮＲなどのＵＬ信号品質を判断できるように、ＵＬにおけるＵＥによって送信される、任意のタイプの参照信号、またはより一般的には、物理無線信号に言及することができる。このような参照信号の例には、単なる１つの例として、特に３ＧＰＰ  ＬＴＥ  ＳＲＳといった、サウンディング参照信号（ＳＲＳ）または他のＳＲＳタイプ信号がある。参照信号の他の例には、ＤＭＲＳ、ＵＥ固有参照またはパイロット信号などが挙げられる。実施形態は、任意のタイプのＲＳ、すなわち、任意のタイプのＲＳを送信するキャリアのスイッチングに適用可能である。
【００３３】
いくつかの実施形態では、ＳＲＳスイッチングおよびＳＲＳキャリアベーススイッチングは、種々のキャリア上のＳＲＳの送信を説明するために区別なく使用されてよい。ＳＲＳスイッチングは、時間および／または周波数領域パターンに基づいてよい。ＳＲＳスイッチングは、２．１．１節に説明されるＳＲＳ送信タイプ、または他のＳＲＳ送信タイプをさらに伴ってよい。より多くの例示のシナリオは後述される。
【００３４】
図４は、ある特定の実施形態に従って、測定ギャップおよびサウンディング参照信号スイッチングを設定するためのネットワーク１００の一実施形態を示すブロック図である。ネットワーク１００は、ネットワーク１００を介して通信できる１つまたは複数の無線ノードを含む。無線ノードは、ワイヤレスデバイス１１０またはＵＥ１１０と区別なく称され得る１つまたは複数のワイヤレスデバイス１１０Ａ〜Ｃ、およびネットワークノード１１５またはｅＮｏｄｅＢ１１５と区別なく称され得るネットワークノード１１５Ａ〜Ｃ、無線ネットワークコントローラ１２０、およびコアネットワークノード１３０を含んでよい。ワイヤレスデバイス１１０は、ワイヤレスインターフェース上でネットワークノード１１５と通信可能である。例えば、ワイヤレスデバイス１１０Ａはワイヤレス信号をネットワークノード１１５の１つまたは複数に送信する、および／またはワイヤレス信号をネットワークノード１１５の１つまたは複数から受信することができる。ワイヤレス信号は、音声トラフィック、データトラフィック、制御信号、および／または任意の他の適した情報を含有することができる。いくつかの実施形態では、ネットワークノード１１５と関連付けられたワイヤレス信号カバレッジのエリアは、セルと称される場合がある。いくつかの実施形態では、ワイヤレスデバイス１１０はＤ２Ｄ能力を有することができる。よって、ワイヤレスデバイス１１０は、別のワイヤレスデバイス１１０に対して直接、信号を受信するおよび／または信号を送信することができるようにしてよい。例えば、ワイヤレスデバイス１１０Ａは、ワイヤレスデバイス１１０Ｂに対して、信号を受信するおよび／または信号を送信することができるようにしてよい。
【００３５】
ある特定の実施形態では、ネットワークノード１１５は、無線ネットワークコントローラ１２０とインターフェース接続してよい。無線ネットワークコントローラ１２０はネットワークノード１１５を制御可能であり、ある特定の無線リソース管理機能、モビリティ管理機能、および／または他の適した機能を提供することができる。ある特定の実施形態では、無線ネットワークコントローラ１２０は、相互接続ネットワーク１２５を介してコアネットワークノード１３０とインターフェース接続してよい。相互接続ネットワーク１２５は、オーディオ、ビデオ、信号、データ、メッセージ、または前述の任意の組み合わせを送信することが可能な任意の相互接続システムに言及することができる。相互接続ネットワークは、公衆交換電話網（ＰＳＴＮ）、公衆またはプライベートデータネットワーク、ローカルエリアネットワーク（ＬＡＮ）、メトロポリタンエリアネットワーク（ＭＡＮ）、ワイドエリアネットワーク（ＷＡＮ）、インターネットなどのローカル、地域、もしくはグローバル通信またはコンピュータネットワーク、有線またはワイヤレスネットワーク、企業イントラネット、あるいは、これらの組み合わせを含む任意の他の適した通信リンクの全てまたは一部分を含むことができる。
【００３６】
コアネットワークノード１３０は、通信セッションの確立を管理し、かつワイヤレス通信デバイス１１０にさまざまな他の機能性を提供することができる。ワイヤレス通信デバイス１１０は、非アクセス階層を使用してある特定の信号をコアネットワークノード１３０と交換する。非アクセス層（ＮＡＳ）シグナリングにおいて、ワイヤレス通信デバイス１１０とコアネットワークノード１３０との間の信号は、ネットワークノード１２０を透過的に通過する。
【００３７】
上述されるように、ネットワーク１００の例示の実施形態は、１つまたは複数のワイヤレスデバイス１１０、および、ワイヤレスデバイス１１０と（直接または間接的に）通信することが可能な１つまたは複数の種々のタイプのネットワークノードを含むことができる。ワイヤレスデバイス１１０は、セルラーまたはモバイル通信システムにおいてノードおよび／または別のワイヤレスデバイスと通信する任意のタイプのワイヤレスデバイスに言及することができる。ワイヤレスデバイス１１０の例には、携帯電話、スマートフォン、ＰＤＡ（携帯情報端末）、ポータブルコンピュータ（例えば、ラップトップ、タブレット）、センサ、モデム、マシン型通信（ＭＴＣ）デバイス／マシン間（Ｍ２Ｍ）デバイス、ラップトップ埋め込み機器（ＬＥＥ）、ラップトップ搭載機器（ＬＭＥ）、ＵＳＢドングル、Ｄ２Ｄ対応機器、または、ワイヤレス通信を提供することができる別のデバイスが挙げられる。ワイヤレスデバイス１１０はまた、いくつかの実施形態では、ＵＥ、ステーション（ＳＴＡ）、デバイス、または端末と称される場合がある。また、いくつかの実施形態では、「無線ネットワークノード」（または単に「ネットワークノード」）という総称的な専門用語が使用される。この無線ネットワークノードは、Ｎｏｄｅ  Ｂ、基地局（ＢＳ）、ＭＳＲ  ＢＳなどのマルチスタンダード無線（ＭＳＲ）の無線ノード、ｅＮｏｄｅ  Ｂ、ネットワークコントローラ、無線ネットワークコントローラ（ＲＮＣ）、基地局コントローラ（ＢＳＣ）、中継器、ドナーノード制御中継器、ベーストランシーバ基地局（ＢＴＳ）、アクセスポイント（ＡＰ）、送信ポイント、送信ノード、ＲＲＵ、ＲＲＨ、分散アンテナシステム（ＤＡＳ）におけるノード、コアネットワークノード（例えば、ＭＳＣ、ＭＭＥなど）、Ｏ＆Ｍ、ＯＳＳ、ＳＯＮ、位置決めノード（例えば、Ｅ−ＳＭＬＣ）、ＭＤＴ、または任意の適したネットワークノードを含むことができる、任意の種類のネットワークノードとすることができる。ワイヤレス通信デバイス１１０、ネットワークノード１１５、無線ネットワークコントローラ１２０、およびコアネットワークノード１３０のそれぞれは、ハードウェアおよび／またはソフトウェアの任意の適した組み合わせを含む。ワイヤレスデバイス１１０、ネットワークノード１１５、および（無線ネットワークコントローラまたはコアネットワークノードなどの）他のネットワークノードの例示の実施形態は、図５、図１０、および図１４に関してそれぞれより詳細に説明される。
【００３８】
図４はネットワーク１００の特定の配置構成を示すが、本開示では、本明細書に説明されるさまざまな実施形態が任意の適した設定を有するさまざまなネットワークに適用可能であることが考えられる。例えば、ネットワーク１００は、任意の適した数のワイヤレスデバイス１１０およびネットワークノード１１５のみならず、ワイヤレスデバイス間、またはワイヤレスデバイスと別の通信デバイス（固定電話など）との間の通信をサポートするのに適した別の追加のエレメントを含んでよい。ある特定の実施形態では、ワイヤレス通信デバイス１１０、ネットワークノード１２０、およびコアネットワークノード１３０は、Ｌｏｎｇ  Ｔｅｒｍ  Ｅｖｏｌｕｔｉｏｎ（ＬＴＥ）、ＬＴＥ−Ａｄｖａｎｃｅｄ、ＬＴＥ−Ａｄｖａｎｃｅｄ  Ｐｒｏ、ＵＭＴＳ、ＨＳＰＡ、ＧＳＭ，ｃｄｍａ２０００、ＷｉＭａｘ、Ｗｉ−Ｆｉ（登録商標）、別の適した無線アクセス技術、または、１つもしくは複数の無線アクセス技術の任意の適した組み合わせといった、任意の適した無線アクセス技術を使用する。例示の目的で、さまざまな実施形態は、ある特定の無線アクセス技術の文脈の範囲内で説明される場合がある。しかしながら、本開示の範囲はこれらの例に限定されず、他の実施形態は種々の無線アクセス技術を使用することが可能である。
【００３９】
ＳＲＳキャリアベーススイッチングを伴うある特定の例示の配設シナリオについて説明する。ある特定の実施形態では、例えば、ワイヤレスデバイス１１０Ａは、第１のキャリア周波数（ｆ１）において動作するプライマリサービングセル（ＰＣｅｌｌ）１４０で第１のネットワークノード１１５Ａによってサーブされてよい。ワイヤレスデバイス１１０Ａはまた、第１のＳＣｅｌｌとしても既知のセカンダリサービングセル（ＳＣｅｌｌ）１５０によってサーブされることが可能であってよい。ある特定の実施形態によると、ワイヤレスデバイス１１０Ａは、２つ以上のＳＣｅｌｌ１５０によってサーブされることがさらに可能であってよい。このようなシナリオでは、第１のＳＣｅｌｌ１５０は第２のキャリア周波数（ｆ２）において動作可能であり、第２のＳＣｅｌｌ１５０は第３のキャリア周波数（ｆ３）において動作可能である。２つ以上のＳＣｅｌｌ１５０にも同じことが当てはまる。本明細書に説明されるように、キャリアｆ１は区別なくＰＣＣと呼ばれ、キャリアｆ２、ｆ３、…、ｆ（ｎ）はそれぞれ、ＳＣＣ１、ＳＣＣ２、…、ＳＣＣ（ｎ−１）などと区別なく呼ばれてよい。
【００４０】
ある特定の実施形態では、ｆ１、ｆ２、およびｆ３はライセンス済みスペクトルに属する。しかしながら、他の組み合わせも可能である。例えば、ある特定の実施形態では、キャリアｆ１およびｆ３はライセンス済みスペクトルまたは帯域に属してよいのに対し、ｆ２はライセンスなしスペクトルまたは周波数帯域に属する。ライセンスなしスペクトルまたは帯域において、競合ベースの送信が可能である。そのように、２つ以上のデバイス（ワイヤレスデバイスまたはネットワークノード）は、ある特定の公正な制約に基づくスペクトルの同じ一部にもアクセスできる。１つのこのような制約はｌｉｓｔｅｎ−ｂｅｆｏｒｅ−ｔａｌｋ（ＬＢＴ）を含んでよい。この場合、スペクトルを所有するオペレータ（またはユーザもしくは送信機）はいない。ライセンス済みスペクトルまたはライセンス済み帯域では、競合がない送信のみが可能である。よって、スペクトルライセンスの所有者によって可能とされるデバイス（ワイヤレスデバイスまたはネットワークノード）のみがライセンス済みスペクトルにアクセスできる。１つの例示のシナリオでは、全てのキャリアは、ライセンスなしスペクトル、ライセンス共有スペクトル、またはＬＢＴが必要とされるスペクトルにあってよい。
【００４１】
ある特定の実施形態では、ＣＣ、およびワイヤレスデバイス１１０Ａの対応するサービングセルは、全て、同じノード１１５にあってよい。別の例では、それらの少なくとも２つは異なるノードにあってよく、これは、共同設置されてよいまたは併置されなくてよい。
【００４２】
ある特定の実施形態では、ＣＣ、およびワイヤレスデバイス１１０Ａの対応するサービングセルは全て、例えば、ｐＴＡＧといった同じタイミングアドバンスグループ（ＴＡＧ）において設定されてよい。別の例では、いくつかのＣＣ、およびワイヤレスデバイス１１０Ａの対応するサービングセルは、ｐＴＡＧといった１つのＴＡＧにおいて設定されてよく、残りのＣＣは、ｓＴＡＧといった別のＴＡＧにおいて設定されてよい。さらに別の例では、ワイヤレスデバイス１１０Ａは２つ以上のＴＡＧで設定されてよい。
【００４３】
上記のシナリオはまた、種々の実施形態におけるＰＳＣｅｌｌが、例えば、ＳＣｅｌｌのセットに属することができる対応するＣＡ設定に基づいて行われるＤＣまたは多重接続性動作を含むことができる。
【００４４】
さらなる例では、第１のＳＲＳ送信および第２のＳＲＳ送信は、種々のＳＲＳタイプを含むことができる。別の例では、第１のＳＲＳ送信および／または第２のＳＲＳ送信は、ＳＲＳスイッチング送信である時、非定期ＳＲＳタイプを有し（および、ＳＲＳスイッチング設定によってトリガされてよく）、第１のＳＲＳ送信および／または第２のＳＲＳ送信は、非ＳＲＳスイッチング送信である時、非定期ＳＲＳタイプを有することができるまたは有さなくてもよい。
【００４５】
ある特定の実施形態では、ＳＲＳスイッチングは、ネットワークノードによっておよび／またはワイヤレスデバイスによって制御されてよい。
【００４６】
ＳＲＳスイッチング中のキャリアおよび／またはアンテナの間のスイッチングはまた、例えば、ＰＣｅｌｌまたはアクティブ化ＳＣｅｌｌに対するいくらかの割り込みを引き起こす場合があり、これは、（ＳＲＳ送信がスイッチされる）対象キャリアを設定することおよび／またはアクティブ化すること、（ＳＲＳ送信がスイッチされる）ソースキャリアを構成解除することおよび／または非アクティブ化すること、遅延、性能の低減などのワイヤレスデバイス１１０Ａの再設定によるものである場合がある。
【００４７】
図５は、ある特定の実施形態に従って、測定ギャップおよびサウンディング参照信号スイッチングを設定するための例示のワイヤレスデバイス１１０Ａ〜Ｃを示す。図示されるように、ワイヤレスデバイス１１０Ａ〜Ｃは、トランシーバ２１０、プロセッサ２２０、およびメモリ２３０を含む。いくつかの実施形態では、トランシーバ２１０は、（例えば、アンテナを介して）ネットワークノード１１５Ａ〜Ｃに対して、ワイヤレス信号を送信することおよびワイヤレス信号を受信することを容易にし、プロセッサ２２０は、ワイヤレスデバイス１１０Ａ〜Ｃによって提供されるような、上述される機能性の一部または全てを提供するための命令を実行し、メモリ２３０は、プロセッサ２２０によって実行される命令を記憶する。ワイヤレスデバイス１１０Ａ〜Ｃの例は上に挙げられている。
【００４８】
プロセッサ２２０は、ワイヤレスデバイス１１０の説明した機能の一部または全てを行うように命令を実行しかつデータを操作するための１つまたは複数のモジュールにおいて実装されるハードウェアおよびソフトウェアの任意の適した組み合わせを含んでよい。いくつかの実施形態では、プロセッサ２２０は、例えば、処理回路構成、１つまたは複数のコンピュータ、１つまたは複数の中央処理装置（ＣＰＵ）、１つまたは複数のマイクロプロセッサ、１つまたは複数のアプリケーション、および／または他の論理を含んでよい。
【００４９】
メモリ２３０は、一般的に、コンピュータプログラム、ソフトウェア、論理、規則、アルゴリズム、コード、テーブルなどのうちの１つまたは複数を含むアプリケーション、および／またはプロセッサによって実行可能である他の命令などの命令を記憶するように動作可能である。メモリ２３０の例には、コンピュータメモリ（例えばランダムアクセスメモリ（ＲＡＭ）もしくは読み出し専用メモリ（ＲＯＭ））、大容量記憶媒体（例えば、ハードディスク）、取り外し可能記憶媒体（例えば、コンパクトディスク（ＣＤ）もしくはデジタルビデオディスク（ＤＶＤ））、ならびに／または、情報を記憶する任意の他の揮発性もしくは不揮発性、非一時的なコンピュータ可読および／もしくはコンピュータ実行可能メモリデバイスが挙げられる。
【００５０】
ワイヤレスデバイス１１０Ａ〜Ｃの他の実施形態は、図５に示されるもの以外に、上述される機能性および／または（上述される解決策をサポートするために必要な任意の機能性を含む）任意の追加の機能性のいずれかを含む、ワイヤレスデバイスの機能性のある特定の態様を提供することを担う場合がある、追加のコンポーネントを含んでよい。
【００５１】
ある特定の実施形態では、ワイヤレスデバイス１１０Ａ〜Ｃは、ＳＲＳキャリアベーススイッチング能力を含んでよい。本明細書におけるＳＲＳスイッチングは、具体的な目的でＮの多重キャリア上でのＳＲＳ送信を含んでよく、この場合、ある特定の実施形態では、Ｍ＜Ｎであり、Ｍは同時の／重複する送信のＵＥ能力であり、ＮはＳＲＳ送信によるキャリア数である。本明細書に説明されるように、ＳＲＳスイッチングは、Ｋ＜Ｍのキャリアをさらに伴い、この場合、Ｋのキャリアはスイッチングに使用されない場合がある（すなわち、スイッチングはＳＲＳ送信前／後にアクティブ化／非アクティブ化される必要がない場合がある）。
【００５２】
ある特定の実施形態によると、ＳＲＳキャリアスイッチングは、Ｎ〜Ｋのキャリアに対するＳＲＳスイッチングを含む。
【００５３】
ある特定の実施形態によると、ＳＲＳスイッチング（別称、上述されるようなＳＲＳスイッチングまたはＳＲＳ送信のスイッチング）は、
・第１のＳＲＳ送信を開始すること（または、対応するＳＲＳ設定の使用を開始する／再開すること）、
・第２のＳＲＳ送信を停止すること（または、対応するＳＲＳ設定の使用を停止する／一時停止すること）
のうちの少なくとも１つを伴ってよく、この場合、第１のＳＲＳ送信および第２のＳＲＳ送信は、同じもしくは異なるキャリア周波数上のもの、および／あるいは同じまたは異なる１つまたは複数のアンテナもしくはアンテナポートからのものであってよい。
【００５４】
同じまたは異なるキャリア周波数は、ライセンス済みスペクトルおよび／もしくはライセンスなしスペクトル、同じＲＡＴ、または異なるＲＡＴに属することができる。第１の送信および第２の送信のうちの少なくとも１つはＳＲＳスイッチング送信を含むが、第１の送信および第２の送信のうちの１つは、ＳＲＳスイッチング送信を含まないＳＲＳ送信であってよいが、ＳＲＳスイッチング送信に影響される場合がある。１つの例では、（ＳＲＳスイッチング送信を含まない）第２のＳＲＳ送信は、（ＳＲＳスイッチング送信を含む）第１のＳＲＳ送信が送信される前に同じキャリア上で設定される。別の例では、第１のＳＲＳ送信および第２のＳＲＳ送信はＳＲＳスイッチング送信を含み、このスイッチングは第２のＳＲＳ送信から第１のＳＲＳ送信へのものであり、これは異なるキャリア上である場合がある。さらに別の例では、第１のＳＲＳ送信は非ＳＲＳスイッチング送信であり、（ＳＲＳスイッチング送信を含む）第２のＳＲＳ送信が、例えば、別のキャリアおよび／またはアンテナポートにスイッチされた後に送信される（よって、このキャリアおよび／またはアンテナポート上で停止されるまたは一時停止される）。さらに別の例では、第１のＳＲＳ送信および第２のＳＲＳ送信はＳＲＳスイッチング送信を含み、このスイッチングは第２のＳＲＳ送信から第１のＳＲＳ送信へのものであり、これは異なるアンテナポート上である場合があり、また同じまたは異なるキャリア上である場合がある。さらに別の例では、ＳＲＳスイッチングは、キャリアベースＳＲＳスイッチングおよび／またはアンテナベースＳＲＳスイッチングを含んでよい。
【００５５】
さらなる例示の実施形態では、第１のＳＲＳ送信および第２のＳＲＳ送信は、異なるＳＲＳタイプを含んでよい。別の例では、第１のＳＲＳ送信および／または第２のＳＲＳ送信は、ＳＲＳスイッチング送信である時、非定期ＳＲＳタイプを有し（および、ＳＲＳスイッチング設定によってトリガされてよく）、第１のＳＲＳ送信および／または第２のＳＲＳ送信は、非ＳＲＳスイッチング送信である時、非定期ＳＲＳタイプを有することができるまたは有さない場合がある。
【００５６】
本明細書で説明されるように、ＳＲＳスイッチングは、ネットワークノード１１５Ａ〜Ｃによっておよび／またはワイヤレスデバイス１１０Ａ〜Ｃによって制御されてよい。
【００５７】
ＳＲＳスイッチング中のキャリアおよび／またはアンテナの間のスイッチングはまた、例えば、ＰＣｅｌｌまたはアクティブ化ＳＣｅｌｌに対するいくらかの割り込みを引き起こす場合があり、これは、（ＳＲＳ送信がスイッチされる）対象キャリアを設定することおよび／またはアクティブ化すること、（ＳＲＳ送信がスイッチされる）ソースキャリアを構成解除することおよび／または非アクティブ化すること、遅延、性能の低減などといった、ワイヤレスデバイスの再設定によるものである場合がある。
【００５８】
図６は、ある特定の実施形態に従って、例示のＣＣ組み合わせ３００を示す。図示されるように、５ＤＬ  ＣＡおよび２ＵＬ（またはそれより多いＵＬ）ＣＡ動作による配置構成がある。この例は、２ＵＬ  ＣＡと共に５ＤＬ  ＣＡを示し、この場合、１つのＵＬはＰＣｅｌｌにおいて固定され、ＳＲＳスイッチングは（例えば、ＳＣｅｌｌからＳＣｅｌｌ２までの）ＳＣｅｌｌのうちの１つにおいて行われる。そのため、任意の時点で、２ＵＬ  ＣＡの組み合わせになる。同じ例示のシナリオがまた、ＤＬおよびＵＬにおいてそれぞれ、他の数でアグリゲートされたＣＣによって示され得る。例えば、ＣＣｙ、ＣＣｚ、ＣＣｕ、およびＣＣｖといったキャリアは、種々の帯域にもあってよい。例えば、ＣＣｙは１ＧＨｚを下回る任意の帯域にあり得、ＣＣｚはおよそ２ＧＨｚの任意の帯域にあり得、ＣＣｕは３．５ＧＨｚにおける任意の帯域にあり得る。以下の図において、ＣＡ組み合わせはＴＤＤ−ＴＤＤおよび／またはＦＤＤ−ＴＤＤとすることができる。
【００５９】
本明細書における用語「サーブされるまたはサーブされている」は、ワイヤレスデバイス１１０Ａ〜Ｃが対応するサービングセルによって設定され、かつ例えば、ＰＣｅｌｌまたはＳＣｅｌｌのいずれかにおけるような、サービングセルにおいてネットワークノード１１５Ａ〜Ｃに対してデータの受信および／または送信を行うことができることを意味する。データは、例えば、ＤＬにおけるＰＤＳＣＨ、ＵＬにおけるＰＵＳＣＨなどといった物理チャネルを介して送信または受信される。
【００６０】
ワイヤレスデバイス１１０Ａ〜Ｃは、ネットワーク１００によってＳＲＳ送信を１つまたは複数のサービングセルにスイッチするように要求されてよい。いくつかの実施形態では、１つまたは複数のＳＲＳスイッチングメッセージまたはコマンドは、ＲＲＣシグナリングを介してワイヤレスデバイス１１０Ａ〜Ｃによって受信されてよい。いくつかの実施形態では、１つまたは複数のＳＲＳスイッチングメッセージまたはコマンドは、ＭＡＣ  ＣＥコマンドを介してワイヤレスデバイス１１０Ａ〜Ｃによって受信されてよい。
【００６１】
例えば、ある特定の実施形態によると、以下のシグナリング、
・第１のサービングセルＳＲＳスイッチング要求メッセージまたはコマンドを第２のネットワークノードから受信することで、ＳＲＳキャリアを第１のサービングセルからスイッチすること、
・第２のサービングセルＳＲＳスイッチング要求メッセージまたはコマンドを第３のネットワークノードから受信することで、ＳＲＳキャリアを第２のサービングセルからスイッチすること、および
・第３のサービングセルＳＲＳスイッチング要求メッセージまたはコマンドを第４のネットワークノードから受信することで、ＳＲＳキャリアを第３のサービングセルからスイッチすること、は適用可能である。
【００６２】
ある特定の実施形態によると、第１のネットワークノード、第２のネットワークノード、第３のネットワークノード、および第４のネットワークノードの少なくともいくつかは、同じ箇所または場所において同じであるまたは共同設置される。例えば、このような実施形態では、ワイヤレスデバイス１１０Ａ〜Ｃは、１つまたは複数のメッセージまたはコマンドを受信することで、ＳＲＳキャリアを第１のネットワークノード１１５Ａ〜Ｃからの１つまたは複数のサービングセルからスイッチすることができる。また、例えば、このような実施形態において、ワイヤレスデバイス１１０Ａ〜Ｃは、ＰＣｅｌｌから１つまたは複数のサービングセルのＳＲＳスイッチングのために１つまたは複数のメッセージを受信することができる。
【００６３】
ある特定の実施形態によると、第１のネットワークノード、第２のネットワークノード、第３のネットワークノード、および第４のネットワークノード１１５Ａ〜Ｃの任意の組み合わせは、異なる箇所または場所に位置してよい、または依然共同設置されてよい論理的に異なるノードであってよい。このような実施形態では、ワイヤレスデバイス１１０Ａ〜Ｃは、各サービングセルからの１つまたは複数のサービングセルからのＳＲＳキャリアスイッチングのために１つまたは複数のメッセージを受信することができる。
【００６４】
実施形態は、ライセンスなしスペクトルにおける少なくとも１つのサービングセルについて、または、場合によって、ライセンス済みスペクトル上の１つ、およびライセンスなしスペクトルまたは周波数帯域上の１つでの２つのサービングセルについて、説明されるものである。しかしながら、実施形態は、任意の数のサービングセルに適用可能であるのに対し、少なくとも１つのサービングセルは、ライセンスなしスペクトルまたは周波数帯域に属するＣＣ上で動作する。実施形態はまた、伴ったサービングセル全てがライセンスなしスペクトルにおけるものである場合のライセンスなしスペクトルにおける少なくとも１つまたは複数のサービングセルに適用可能である。
【００６５】
図７Ａ〜図７Ｆは、ある特定の実施形態に従って、ワイヤレスデバイス１１０Ａ〜Ｃによって測定ギャップおよびサウンディング参照信号スイッチングを設定するための例示の方法を示す。具体的には、図７Ａは、ある特定の実施形態に従って、測定ギャップおよびＳＲＳスイッチングを設定するためのワイヤレスデバイス１１０Ａ〜Ｃにおける例示の方法４００を示す。方法は、ＳＲＳスイッチング対象の少なくとも１つの第１の無線信号を送信するための第１の設定がワイヤレスデバイス１１０Ａによって取得される時のステップ４０２において開始する。
【００６６】
特定の実施形態によると、ＳＲＳスイッチング対象の少なくとも１つの無線信号は、少なくとも１つのＲＡＣＨ  ＳＲＳ信号を含んでよい。ある特定の実施形態では、第１の設定は、例えば、上位層および／または物理層を介したネットワークノードといった別のノードから受信されるメッセージ、指示、または設定として受信されてよい。特定の実施形態では、第１の設定は、ＳＲＳキャリアスイッチング設定、ＳＲＳスイッチングに関連しているＳＲＳ送信設定、または別の適したＳＲＳ関連設定を含むことができる。
【００６７】
ある特定の実施形態によると、第１の設定は、あらかじめ規定された設定であってよい。例えば、第１の設定はＳＲＳスイッチングパターンを含んでよい。
【００６８】
さらに他の実施形態によると、第１の設定は、ＳＲＳスイッチングに関連している１つまたは複数の送信をトリガすることができるトリガ条件またはイベントに応答して取得されてよい。例えば、特定の実施形態において、任意のキャリアに対するＳＲＳ送信タイマの折りたたみは、第１の設定をトリガすることができる。
【００６９】
ステップ４０４において、ワイヤレスデバイス１１０Ａ〜Ｃは、少なくとも１つの無線信号を受信するための測定ギャップを指示する第２の設定を取得する。ある特定の実施形態によると、測定ギャップは、ネットワーク設定および／またはＵＥ設定されてよい。他の実施形態では、測定ギャップは自律ギャップであってよい。
【００７０】
ある特定の実施形態によると、第２の設定は、例えばネットワークノードなどの別のノードから受信されるメッセージ、指示、または設定として受信されてよい。例えば、第２の設定は、測定設定、システム情報設定と共に含んでよい、または含まれてよい。
【００７１】
ある特定の他の実施形態によると、第２の設定はあらかじめ規定されてよい。代替的には、第２の設定は、１つまたは複数の規則の適用に応答して取得されてよい。特定の実施形態では、第２の設定は、例えば、ＳＩ読み出し、セル特定、位置決め、または別の適した動作などの動作を行うために受信されるようにある特定のサブフレームにおけるおよび／または信号のある特定の周期性による送信のためにあらかじめ規定された設定を含むことができる、またはこれと関連付け可能である。
【００７２】
ある特定の他の実施形態によると、１つまたは複数のトリガイベントおよび／または条件は、測定ギャップを必要とする場合がある無線信号の受信に基づいて１つまたは複数の動作をトリガしてよい。
【００７３】
さらに他の実施形態では、第２の設定は、ＵＥ能力に基づいて判断されてよい。例えば、第２の設定は、ワイヤレスデバイス１１０Ａ〜Ｃが、一般にまたは具体的な目的で測定ギャップなしで、周波数間および／またはＲＡＴ間測定を行うことが可能であるかどうかに関係している場合がある。
【００７４】
ステップ４０６では、ワイヤレスデバイス１１０Ａ〜Ｃは、第２の設定を適用しながら、ＳＲＳスイッチング対象の少なくとも１つの第１の無線信号を送信するための第１の設定を適応させる。特定の実施形態では、ワイヤレスデバイス１１０Ａ〜Ｃは適応させた第１の設定をネットワークノード１１５Ａ〜Ｃから受信することができる。特定の実施形態によると、ワイヤレスデバイス１１０Ａ〜Ｃは、適応させた第１の設定を、ネットワークノード１１５Ａ〜Ｃ、または別のワイヤレスデバイス１１０Ａ〜Ｃに送信することができる。
【００７５】
ある特定の実施形態によると、適応させた第１の設定は、第２の設定の測定ギャップによる重複を回避または低減するためにキャリア間のスイッチングの周期性を変更する。ある特定の他の実施形態によると、第１の設定を適応させることは、少なくとも１つの性能特性、要件、または対象を取得することと、上記の少なくとも１つの性能特性、要件、または対象に従って第１の設定を適応させることとを含むことができる。特定の実施形態によると、例えば、ワイヤレスデバイス１１０Ａ〜Ｃは、ワイヤレスデバイス１１０Ａ〜Ｃが、第２の設定に従って少なくとも１つの第２の信号と関連付けられた測定を行い、かつ適応させた第１の設定に従って少なくとも１つの第１の信号を送信する間に、１つまたは複数の測定要件が満たされるであろうことを判断することができる。
【００７６】
さまざまな特定の実施形態によると、適応させた第１の設定は、ワイヤレスデバイス１１０Ａ〜Ｃによる送信が可能とされるＳＲＳ送信のパーセンテージ、ワイヤレスデバイス１１０Ａ〜Ｃによって減少させるＳＲＳ送信のパーセンテージ、ワイヤレスデバイス１１０Ａ〜Ｃによる送信が可能とされるＳＲＳ送信数、および／またはワイヤレスデバイス１１０Ａ〜Ｃによって減少させるＳＲＳ送信数を特定することができる。さらにまたは代替的には、適応させた第１の設定は、測定ギャップによる重複を低減するために少なくとも１つの第１の信号を送信するための時間リソース、測定ギャップの間に生じない少なくとも１つの第１の信号を送信するための時間リソース、および／または測定ギャップによる重複を回避または低減するために少なくとも１つの第１の信号を送信しないための時間リソースを特定することができる。
【００７７】
性能特性、要件、または対象のいくつかの例には、周波数内、周波数間、および／またはＲＡＴ間測定時間、測定周期、セル特定、ＳＩ読み出し時間、ＣＧＩ特定時間、位置決め（例えば、ＯＴＤＯＡまたはＥ−ＣＩＤ）測定周期、ＲＬＭ時間、測定精度（例えば、ＲＳＲＰ精度の±３ｄＢなど）、ワイヤレスデバイス１１０Ａ〜Ｃによって測定される最小数の特定されるセル、要件を満たすための信号レベルダウンなどがある。この要件は、喪失したパケットの数に関して表現されてもよい。これは、例えば、測定期間といった、ある特定の期間にわたる、ワイヤレスデバイス１１０Ａ〜Ｃへのこのサービングセルからのデータの連続的な送信に応答して実行されなかったＡＣＫ／ＮＡＣＫの総数に関してさらに表現されてもよい。
【００７８】
さまざまな実施形態によると、要件という用語はまた、測定要件、性能要件など、区別なく呼ばれてよい。無線測定タイプについての例は上述されている。
【００７９】
実施形態では、適応させた設定は、
・例えば、ＵＥがどのように適応させるのかを制御する適応させた設定またはパラメータをＵＥが受信することができるといった、別のノード（例えば、ネットワークノード）から受信されるメッセージ／指示／設定、
・例えば、標準であらかじめ規定された規則といった、あらかじめ規定された規則、
・例えば、別のノードからあらかじめ規定もしくは受信されてよい、またはあらかじめ規定された規則に基づいて判断されてよい優先度といった、（例えば、ＳＲＳスイッチングに関連しているＳＲＳスイッチング動作または送信の間の、および測定ギャップ、または測定ギャップを必要とする場合がある動作を使用する）優先度、
・履歴、の１つまたは複数に基づいて取得されてよい。
【００８０】
ある特定の実施形態では、第１の無線信号の送信の適応させた設定は、例えば、以下の１つまたは複数を含んでよい。
・ＳＲＳ送信目的のためのキャリアスイッチングを適応させ（例えば、キャリア間でスイッチする時間、またはスイッチング周期性などを適応させる）、例えば、
・測定ギャップまたはギャップに近い時間リソースによるスイッチングまたは関連の割り込み時間の間の重複を完全にまたは部分的に回避もしくは低減する
・優先度に基づいて送信する／送信しない（例えば、測定ギャップが一般にまたは具体的な目的で使用される時にＳＲＳを送信しない）
・送信の少なくともＮまたはＸ％を送信する
・せいぜいＭまたはＹ％の送信を減少させる
・測定ギャップによる重複を回避／低減／最小化するための時間リソースで送信する
・測定ギャップによる重複を回避するために、元々スケジューリングされたのと異なる（例えば、あらかじめ規定されたまたは規則に基づいて規定された）時間リソースで送信する
・測定ギャップの後に１つまたは複数の時間リソースにおいて送信しない（例えば、送信を回避するまたは送信を減少させる）、例えば、
・測定ギャップの直後に生じるサブフレームにおいて送信しない、または
・測定ギャップの直前に生じるサブフレームがダウンリンクサブフレームである場合に測定ギャップの直後に生じるアップリンクサブフレームにおいて送信しない
・測定ギャップ設定／周期性に送信周期性を適応させ、例えば、送信が測定ギャップと重複する場合がある時に設定された送信数を増大させる（例えば、測定ギャップ周期性より大きくなるように、例えば、ＳＲＳ送信の周期性を増大させる）
・（例えば、種々のＵＥコンポーネントにおける割り込みまたは遅延を明らかにするように）測定ギャップが設定可能である時間リソースに対する少なくともＶの時間リソースによるＳＲＳスイッチングに関連している送信をシフトさせる
・ワイヤレスデバイス１１０Ａ〜Ｃの送信を遅延させる、中断する、再開する
・測定ギャップの間に生じる時間リソースにおいてＳＲＳを送信しない
・ギャップの間に生じるある特定数以内の時間リソースにおいてＳＲＳを送信する。このような規則の例には以下がある。
・ＨがＨの連続的な測定ギャップに対応することができる、Ｈの測定ギャップのうちのＧ以内でＳＲＳを送信する。別の例では、Ｈは、ある特定の期間（Ｔ０）に生じるＨの測定ギャップ数に対応することができる。
・測定ギャップに対する参照時間リソースにおいてＳＲＳを送信する。この規則については以下の例によって詳しく述べる。
・ワイヤレスデバイス１１０Ａ〜Ｃは、測定ギャップの直前に生じる時間リソースにおいてＳＲＳを送信することが可能とされる。
・ワイヤレスデバイス１１０Ａ〜Ｃは、測定ギャップの直後に生じる時間リソースにおいてＳＲＳを送信することが可能とされる。
・ワイヤレスデバイス１１０Ａ〜Ｃは、測定ギャップの直前に生じる第１の利用可能なアップリンク時間リソースにおいてＳＲＳを送信することが可能とされる。アップリンク時間リソースの例には、アップリンクシンボル、アップリンクサブフレーム、特殊サブフレーム、ＵｐＰＴＳなどがある。
・ワイヤレスデバイス１１０Ａ〜Ｃは、測定ギャップの直後に生じる第１の利用可能なアップリンク時間リソースにおいてＳＲＳを送信することが可能とされる。
・ワイヤレスデバイス１１０Ａ〜Ｃは、測定ギャップの前にＰ１の時間リソース内で生じる時間リソースにおいてＳＲＳを送信することが可能とされる。
・ワイヤレスデバイス１１０Ａ〜Ｃは、測定ギャップの後のＱ１の時間リソース内で生じる時間リソースにおいてＳＲＳを送信することが可能とされる。
・ワイヤレスデバイス１１０Ａ〜Ｃは、測定ギャップの前のＰ１の時間リソース内で生じるアップリンク時間リソースにおいてＳＲＳを送信することが可能とされる。
・ワイヤレスデバイス１１０Ａ〜Ｃは、測定ギャップの後のＱ１の時間リソース内で生じるアップリンク時間リソースにおいてＳＲＳを送信することが可能とされる。
・ワイヤレスデバイス１１０Ａ〜Ｃは、ＵＥがその測定ギャップにおいて測定を行わないという条件で、またはＵＥがギャップにおける測定を完了している場合に、測定ギャップにおいてＳＲＳを送信することが可能とされる。
・ワイヤレスデバイス１１０Ａ〜Ｃは、例えば、ＵＥが、測定ギャップを使用して行われる測定と関連付けられた１つまたは複数の要件を満たすことができるという条件で、測定ギャップにおいてＳＲＳを送信することが可能とされる。ワイヤレスデバイス１１０Ａ〜Ｃは、この測定の測定時間が延長されないという条件で、測定ギャップにおいてＳＲＳを送信することが可能とされる。
・ワイヤレスデバイス１１０Ａ〜Ｃは、測定ギャップにおいて、キャリア上でＳＲＳを送信する（Ｆ１）ことが、ワイヤレスデバイス１１０Ａ〜Ｃが測定ギャップにおいてＦ１で１つまたは複数の測定も行っているという条件で、可能とされる。
・ワイヤレスデバイス１１０Ａ〜Ｃは、測定ギャップにおいて、キャリア上でＳＲＳを送信する（Ｆ１）ことが、ワイヤレスデバイス１１０Ａ〜Ｃが、Ｆ１で１つまたは複数の測定も行っており、かつギャップにおけるＳＲＳの送信が、ギャップにおけるＦ１での測定の性能に悪影響を与えないものとするという条件で、可能とされる。
・ワイヤレスデバイス１１０Ａ〜Ｃは、測定ギャップにおいて、キャリア上でＳＲＳを送信する（Ｆ１）ことが、ワイヤレスデバイス１１０Ａ〜Ｃが、Ｆ１で１つまたは複数の測定も行っており、かつＵＥが、ギャップにおけるＦ１で行われる測定と関連付けられた１つまたは複数の要件を依然満たすことができるという条件で、可能とされる。
・ワイヤレスデバイス１１０Ａ〜Ｃは、測定ギャップにおいてＳＲＳを送信することができるが、この場合、ワイヤレスデバイス１１０Ａ〜Ｃは、測定ギャップにおいて行われる測定に対する測定要件の第２のセットを満たすことが可能とされる。ワイヤレスデバイス１１０Ａ〜Ｃが測定ギャップにおいてＳＲＳを送信しない場合、ワイヤレスデバイス１１０Ａ〜Ｃは、測定ギャップにおいて行われる測定に対する測定要件の第１のセットを満たす必要がある。測定要件の第１のセットは測定要件の第２のセットよりも厳格である。例えば、測定時間（例えば、第１のセット）が短いほど、測定時間が長くなる（例えば、第２のセット）のと比較して要件がより厳格になる。
・ワイヤレスデバイス１１０Ａ〜Ｃは、例えば、１つまたは複数の条件または基準が満たされる時に選択的に測定ギャップにおいてＳＲＳを送信することが可能とされる。例えば、以下になる。
・ワイヤレスデバイス１１０Ａ〜Ｃは、ワイヤレスデバイス１１０Ａ〜Ｃが、最後のＪの時間リソース数中にＳＲＳを送信していないという条件で、測定ギャップにおいてＳＲＳを送信することが可能とされる。
・ワイヤレスデバイス１１０Ａ〜Ｃは、ワイヤレスデバイス１１０Ａ〜Ｃが、最後のＬのＳＲＳ送信機会数の間にＳＲＳを送信していないという条件で、測定ギャップにおいてＳＲＳを送信することが可能とされる。
・ワイヤレスデバイス１１０Ａ〜Ｃは、測定ギャップにおいて、キャリア上でＳＲＳを送信する（Ｆ１）ことが、Ｆ１でのサービングセルにおけるＤＬ信号受信のＨＡＲＱ性能が閾値より劣っているという条件で、可能とされる。例えば、ＰＤＳＣＨ受信に対するＨＡＲＱ  ＢＬＥＲがＺ１％より大きい場合、ＵＥは、測定ギャップ、例えば、Ｑ１の測定ギャップ毎のＰ１のギャップにおいて、または、ＨＡＲＱ  ＢＬＥＲが、Ｚ２＜Ｚ１である場合、Ｚ２％より低くなるまで、ＳＲＳを送信することが可能とされる。
・ワイヤレスデバイス１１０Ａ〜Ｃは、測定を行うために使用されるギャップにおいてではなく、測定時間（Ｔ１）中にＳＲＳを送信する（すなわち、ワイヤレスデバイス１１０Ａ〜Ｃが、周波数内またはサービングキャリアにおける測定に利用可能なギャップまたは時間の間にＳＲＳを送信する）場合、サービングキャリア周波数測定（例えば、周波数内測定）に利用可能な最小時間は低減される。この場合、ワイヤレスデバイス１１０Ａ〜Ｃは、１つまたは複数の周波数内測定要件を緩和することが可能とされる。例えば、ワイヤレスデバイス１１０Ａ〜Ｃは以下の１つまたは複数が可能とされる。
・ＳＲＳがＴ１中に送信されない場合と比較して測定時間（例えば、測定周期、セル検索遅延など）が延長される。
・ＳＲＳがＴ１中に送信されない場合と比較してサービングセル上のより少ない数のセルに対して測定が行われる。
・ＳＲＳ送信がセルのシステム情報を獲得するために使用される自律ギャップと一致する場合、ワイヤレスデバイス１１０Ａ〜Ｃはその自律ギャップにおいてＳＲＳを送信することが可能とされない。
・ＳＲＳ送信がセルのシステム情報（ＳＩ）を獲得するために使用される自律ギャップと一致する場合、ワイヤレスデバイス１１０Ａ〜Ｃはその自律ギャップにおいてＳＲＳを送信することが可能とされる。また一方、この場合、ワイヤレスデバイス１１０Ａ〜ＣはＳＩ獲得時間を延長することが可能とされる。
・ワイヤレスデバイス１１０Ａ〜Ｃが、ＳＩを獲得するために使用される自律ギャップにおいてではなく、ＳＩ獲得時間（Ｔ２）中にＳＲＳを送信する（すなわち、ワイヤレスデバイス１１０Ａ〜Ｃが自律ギャップ間でＳＲＳを送信する）場合、ワイヤレスデバイス１１０Ａ〜Ｃは、Ｔ２の間のデータの連続的なＤＬ割り当て下でワイヤレスデバイス１１０Ａ〜Ｃによって実行されなかったＡＣＫ／ＮＡＣＫ送信の数（Ｒ２）に関する要件の第２のセットを満たすことが可能とされ、ワイヤレスデバイス１１０Ａ〜Ｃは、ワイヤレスデバイス１１０Ａ〜ＣがＴ２の間にいずれのＳＲＳも送信しないという条件で、データの連続的なＤＬ割り当て下でワイヤレスデバイス１１０Ａ〜Ｃによって実行されなかったＡＣＫ／ＮＡＣＫ送信の数（Ｒ１）に関する要件の第１のセットを満たす必要があり、この場合、Ｒ２＜Ｒ１である。Ｒ２はＴ２の間に送信されるＳＲＳの数に左右される場合がある。例えば、ＳＲＳがＴ２の間に５の時間リソースで送信されると仮定すれば、Ｒ１＝６０およびＲ２＝５５である。
・ＳＲＳ送信がセルのシステム情報（ＳＩ）を獲得するために使用される自律ギャップと一致する場合、
・ワイヤレスデバイス１１０Ａ〜Ｃはその自律ギャップにおいてＳＲＳを送信することが可能とされず、
・ワイヤレスデバイス１１０Ａ〜Ｃが（Ｔ２）中にＳＲＳを送信する場合、ワイヤレスデバイス１１０Ａ〜Ｃは、Ｔ２の間のデータの連続的なＤＬ割り当て下でワイヤレスデバイス１１０Ａ〜Ｃによって実行されなかったＡＣＫ／ＮＡＣＫ送信の数（Ｒ２）に関する要件の第２のセットを満たすことが可能とされ、ワイヤレスデバイス１１０Ａ〜Ｃは、ワイヤレスデバイス１１０Ａ〜ＣがＴ２の間にいずれのＳＲＳも送信しないという条件で、データの連続的なＤＬ割り当て下でワイヤレスデバイス１１０Ａ〜Ｃによって実行されなかったＡＣＫ／ＮＡＣＫ送信の数（Ｒ１）に関する要件の第１のセットを満たす必要があり、この場合、先述の例のように、Ｒ２＜Ｒ１である。
【００８１】
ある特定の実施形態では、上記の規則のいくつかまたはいずれもまた、以下の追加の条件が満たされるという条件で、適用されてよい。
・ＳＲＳは、サブフレームのある特定のシンボルにおいて送信される（例えば、ＳＲＳがサブフレームのその最終シンボルにおいて送信される時、ワイヤレスデバイス１１０Ａ〜Ｃは、例えば、測定ギャップの前ではなく測定ギャップの直後にサブフレームにおいてこのＳＲＳを送信することができ、またはＳＲＳがサブフレームのｎ番目のシンボル以内に送信される時、測定ギャップの前に送信することが可能とされ得る）。
【００８２】
ある特定の実施形態では、第２の無線信号の受信の適応させた設定は、例えば、次の１つまたは複数を含んでよい。
・ＳＲＳスイッチングに関連している送信による重複を回避／低減／最小化するために測定ギャップに対する時間リソースにおいて設定する
・送信周期性に適応して測定ギャップ周期性および／または長さを設定する（例えば、ＳＲＳ送信による重複を回避するために長さを短縮し、例えば、４０ｍｓから８０ｍｓまで周期性設定を増大させる）
・優先度に基づいて測定ギャップを使用する（例えば、ＳＲＳ送信を優先して少なくともいくつかの測定ギャップを使用しない）
・測定ギャップおよび対応する無線信号受信のせいぜいＰまたはＱ％を減少させる
・測定ギャップの少なくともＳまたはＲ％を使用する
・ＳＲＳスイッチングに関連している送信による重複を回避／低減／最小化するための時間リソースにおいて動作を行う
・ＳＲＳスイッチングに関連している送信と重複するいくつかのまたは全てのサブフレームにおいて測定ギャップなしで動作を行う
・ＳＲＳスイッチングに関連している送信のための時間リソースに対する少なくともＷの時間リソースによって測定ギャップをシフトする
【００８３】
ステップ４０８において、ワイヤレスデバイス１１０Ａ〜Ｃは、第２の設定を適用しながら、適応させた第１の設定に従ってＳＲＳスイッチング対象の少なくとも１つの第１の無線信号を送信する。ある特定の実施形態によると、少なくとも１つの第１の信号は、第２の設定に従って測定ギャップの間に第１のキャリア上で受信される少なくとも１つの第２の信号に基づいて測定の性能に悪影響を与えることなく測定ギャップの間に第１のキャリア上で送信される。よって、ある特定の実施形態によると、ＳＲＳスイッチング対象の第１の無線信号は、適応させた設定に従って送信され、かつ、測定ギャップと関連付けられた任意の測定要件が満たされ得るように第２の設定と関連付けられた測定ギャップを考慮する。
【００８４】
図７Ｂは、ある特定の実施形態に従って、ワイヤレスデバイスによって測定ギャップおよびＳＲＳスイッチングを設定するための別の例示の方法４２０を示す。方法は、ワイヤレスデバイス１１０Ａ〜ＣがＳＲＳスイッチング（例えば、ＲＡＣＨ  ＳＲＳなど）との関連で第１の無線信号の１つまたは複数を送信する必要性を判断する時、ステップ４２２で開始する。ある特定の実施形態では、この判断は、
・例えば、ＳＲＳキャリアスイッチング設定、ＳＲＳスイッチングに関連しているＳＲＳ送信設定などといった、上位層および／または物理層を介して別のノードから（例えば、ネットワークノードから）受信されたメッセージ、指示、または設定、
・例えば、ＳＲＳスイッチングパターンといったあらかじめ規定された設定、および
・任意のキャリアに対するＳＲＳ送信タイマの折りたたみといった、ＳＲＳスイッチングに関連している１つまたは複数の送信をトリガすることができるトリガ条件またはイベント、の１つまたは複数に基づいてよい。
【００８５】
ステップ４２４において、ワイヤレスデバイス１１０Ａ〜Ｃは、測定ギャップを使用している間に第２の無線信号の１つまたは複数を受信する必要性を判断する。測定ギャップは、ネットワーク設定および／もしくはＵＥ設定ギャップ、または自律ギャップであってよい。この判断は、
・例えば、測定設定、システム情報設定を含む、別のノード（例えば、ネットワークノード）から受信されるメッセージ／指示／設定、
・あらかじめ規定された設定または規則、
・動作（例えば、ＳＩ読み出し、セル特定、位置決め）を行うために受信される信号の設定（これは、例えば、ある特定のサブフレームにおけるおよび／またはある特定の周期性を有する送信などをあらかじめ規定可能である）、
・測定ギャップを必要とする場合がある無線信号の受信に基づく１つまたは複数の動作をトリガすることができるトリガイベントおよび／または条件、ならびに
・例えば、ＵＥが、一般にまたは具体的な目的で測定ギャップなしで、周波数間および／またはＲＡＴ間測定を行うことが可能であるまたは不可能であるかどうかの、ＵＥ能力の、例えば、１つまたは複数に基づいてよい。
【００８６】
ステップ４２６では、ワイヤレスデバイス１１０Ａ〜Ｃは、第１の無線信号の送信および／または第２の無線信号の受信についての適応させた設定を取得する。特定の実施形態では、ワイヤレスデバイス１１０Ａ〜Ｃは、別のノード（例えば、ネットワークノード１１５Ａ〜Ｃまたは別のＵＥ１１９Ａ〜Ｃ）に適応させた設定をさらに指示することができる。例えば、ワイヤレスデバイス１１０Ａ〜Ｃは、測定ギャップ設定を推奨する、または、ワイヤレスデバイス１１０Ａ〜Ｃによって使用されるまたは使用されることになる設定を指示することができる。別の特定の実施形態では、適応させた設定を取得することは、少なくとも１つの性能特性、要件、または対象を取得することをさらに含んでよい。さらに別の実施形態では、適応させた設定を取得することは、取得した性能特性／要件／対象に関する適応を行うことを含んでよい。
【００８７】
性能特性、要件、または対象のいくつかの例には、周波数内、周波数間、および／またはＲＡＴ間測定時間、測定周期、セル特定、ＳＩ読み出し時間、ＣＧＩ特定時間、位置決め（例えば、ＯＴＤＯＡまたはＥ−ＣＩＤ）測定周期、ＲＬＭ時間、測定精度（例えば、ＲＳＲＰ精度の±３ｄＢなど）、ワイヤレスデバイス１１０Ａ〜Ｃによって測定される最小数の特定されるセル、要件を満たすための信号レベルダウンなどがある。この要件は、喪失したパケットの数に関して表現されてもよい。これは、例えば、測定期間といった、ある特定の期間にわたる、ワイヤレスデバイス１１０Ａ〜Ｃへのこのサービングセルからのデータの連続的な送信に応答して実行されなかったＡＣＫ／ＮＡＣＫの総数に関してさらに表現されてよい。
【００８８】
要件という用語はまた、測定要件、性能要件など、区別なく呼ばれてよい。
【００８９】
無線測定タイプについての例は上述されている。
【００９０】
実施形態では、適応させた設定を取得することは、
・例えば、ＵＥがどのように適応させるのかを制御する適応させた設定またはパラメータをＵＥが受信することができるといった、別のノード（例えば、ネットワークノード）から受信されるメッセージ／指示／設定、
・例えば、標準であらかじめ規定された規則といった、あらかじめ規定された規則、
・例えば、別のノードからあらかじめ規定もしくは受信されてよい、またはあらかじめ規定された規則に基づいて判断されてよい、（例えば、ＳＲＳスイッチングに関連しているＳＲＳスイッチング動作または送信の間の、および測定ギャップ、または測定ギャップを必要とする場合がある動作を使用する）優先度、
・履歴、の１つまたは複数に基づいてよい。
【００９１】
ある特定の実施形態では、第１の無線信号の送信の適応させた設定は、例えば、以下の１つまたは複数を含んでよい。
・ＳＲＳ送信目的のためのキャリアスイッチングを適応させ（例えば、キャリア間でスイッチする時間、またはスイッチング周期性などを適応させる）、例えば、
・測定ギャップまたはギャップに近い時間リソースによるスイッチングまたは関連の割り込み時間の間の重複を完全にまたは部分的に回避もしくは低減する
・優先度に基づいて送信する／送信しない（例えば、測定ギャップが具体的な目的で使用される時にＳＲＳを送信しない）
・送信の少なくともＮまたはＸ％を送信する
・せいぜいＭまたはＹ％の送信を減少させる
・測定ギャップによる重複を回避／低減／最小化するための時間リソースで送信する
・測定ギャップによる重複を回避するために、元々スケジューリングされたのと異なる（例えば、あらかじめ規定されたまたは規則に基づいて規定された）時間リソースで送信する
・測定ギャップの後に１つまたは複数の時間リソースにおいて送信しない（例えば、送信を回避するまたは送信を減少させる）、例えば、
・測定ギャップの直後に生じるサブフレームにおいて送信しない、または
・測定ギャップの直前に生じるサブフレームがダウンリンクサブフレームである場合に測定ギャップの直後に生じるアップリンクサブフレームにおいて送信しない
・測定ギャップ設定／周期性に送信周期性を適応させ、例えば、送信が測定ギャップと重複する場合がある時に設定された送信数を増大させる（例えば、測定ギャップ周期性より大きくなるように、例えば、ＳＲＳ送信の周期性を増大させる）
・（例えば、種々のＵＥコンポーネントにおける割り込みまたは遅延を明らかにするように）測定ギャップが設定可能である時間リソースに対する少なくともＶの時間リソースによるＳＲＳスイッチングに関連している送信をシフトさせる
・ワイヤレスデバイス１１０Ａ〜Ｃの送信を遅延させる、中断する、再開する
・測定ギャップの間に生じる時間リソースにおいてＳＲＳを送信しない
・ギャップの間に生じるある特定数以内の時間リソースにおいてＳＲＳを送信する。このような規則の例には以下がある。
・ＨがＨの連続的な測定ギャップに対応することができる、Ｈの測定ギャップのうちのＧ以内でＳＲＳを送信する。別の例では、Ｈは、ある特定の期間（Ｔ０）に生じるＨの測定ギャップに対応することができる。
・測定ギャップに対する参照時間リソースにおいてＳＲＳを送信する。この規則については以下の例によって詳しく述べる。
・ワイヤレスデバイス１１０Ａ〜Ｃは、測定ギャップの直前に生じる時間リソースにおいてＳＲＳを送信することが可能とされる。
・ワイヤレスデバイス１１０Ａ〜Ｃは、測定ギャップの直後に生じる時間リソースにおいてＳＲＳを送信することが可能とされる。
・ワイヤレスデバイス１１０Ａ〜Ｃは、測定ギャップの直前に生じる第１の利用可能なアップリンク時間リソースにおいてＳＲＳを送信することが可能とされる。アップリンク時間リソースの例には、アップリンクシンボル、アップリンクサブフレーム、特殊サブフレーム、ＵｐＰＴＳなどがある。
・ワイヤレスデバイス１１０Ａ〜Ｃは、測定ギャップの直後に生じる第１の利用可能なアップリンク時間リソースにおいてＳＲＳを送信することが可能とされる。
・ワイヤレスデバイス１１０Ａ〜Ｃは、測定ギャップの前にＰ１の時間リソース内で生じる時間リソースにおいてＳＲＳを送信することが可能とされる。
・ワイヤレスデバイス１１０Ａ〜Ｃは、測定ギャップの後のＱ１の時間リソース内で生じる時間リソースにおいてＳＲＳを送信することが可能とされる。
・ワイヤレスデバイス１１０Ａ〜Ｃは、測定ギャップの前のＰ１の時間リソース内で生じるアップリンク時間リソースにおいてＳＲＳを送信することが可能とされる。
・ワイヤレスデバイス１１０Ａ〜Ｃは、測定ギャップの後のＱ１の時間リソース内で生じるアップリンク時間リソースにおいてＳＲＳを送信することが可能とされる。
・ワイヤレスデバイス１１０Ａ〜Ｃは、ＵＥがその測定ギャップにおいて測定を行わないという条件で、またはＵＥがギャップにおける測定を完了している場合に、測定ギャップにおいてＳＲＳを送信することが可能とされる。
・ワイヤレスデバイス１１０Ａ〜Ｃは、ＵＥが、例えば、測定ギャップを使用して行われる測定と関連付けられた１つまたは複数の要件を満たすことができるという条件で、測定ギャップにおいてＳＲＳを送信することが可能とされる。ワイヤレスデバイス１１０Ａ〜Ｃは、この測定の測定時間が延長されないという条件で、測定ギャップにおいてＳＲＳを送信することが可能とされる。
・ワイヤレスデバイス１１０Ａ〜Ｃは、測定ギャップにおいて、キャリア上でＳＲＳを送信する（Ｆ１）ことが、ワイヤレスデバイス１１０Ａ〜Ｃが測定ギャップにおいてＦ１で１つまたは複数の測定も行っているという条件で、可能とされる。
・ワイヤレスデバイス１１０Ａ〜Ｃは、測定ギャップにおいて、キャリア上でＳＲＳを送信する（Ｆ１）ことが、ワイヤレスデバイス１１０Ａ〜Ｃが、Ｆ１で１つまたは複数の測定も行っており、かつギャップにおけるＳＲＳの送信が、ギャップにおけるＦ１での測定の性能に悪影響を与えないものとするという条件で、可能とされる。
・ワイヤレスデバイス１１０Ａ〜Ｃは、測定ギャップにおいて、キャリア上でＳＲＳを送信する（Ｆ１）ことが、ワイヤレスデバイス１１０Ａ〜Ｃが、Ｆ１で１つまたは複数の測定も行っており、かつＵＥが、ギャップにおけるＦ１で行われる測定と関連付けられた１つまたは複数の要件を依然満たすことができるという条件で、可能とされる。
・ワイヤレスデバイス１１０Ａ〜Ｃは、測定ギャップにおいてＳＲＳを送信することができるが、この場合、ワイヤレスデバイス１１０Ａ〜Ｃは、測定ギャップにおいて行われる測定に対する測定要件の第２のセットを満たすことが可能とされる。ワイヤレスデバイス１１０Ａ〜Ｃが測定ギャップにおいてＳＲＳを送信しない場合、ワイヤレスデバイス１１０Ａ〜Ｃは、測定ギャップにおいて行われる測定に対する測定要件の第１のセットを満たす必要がある。測定要件の第１のセットは測定要件の第２のセットよりも厳格である。例えば、測定時間が短い（例えば、第１のセット）ほど、測定時間が長くなる（例えば、第２のセット）のと比較して要件がより厳格になる。
・ワイヤレスデバイス１１０Ａ〜Ｃは、例えば、１つまたは複数の条件または基準が満たされる時に選択的に測定ギャップにおいてＳＲＳを送信することが可能とされる。例えば、以下になる。
・ワイヤレスデバイス１１０Ａ〜Ｃは、ワイヤレスデバイス１１０Ａ〜Ｃが、最後のＪの時間リソース数中にＳＲＳを送信していないという条件で、測定ギャップにおいてＳＲＳを送信することが可能とされる。
・ワイヤレスデバイス１１０Ａ〜Ｃは、ワイヤレスデバイス１１０Ａ〜Ｃが、最後のＬのＳＲＳ送信機会の間にＳＲＳを送信していないという条件で、測定ギャップにおいてＳＲＳを送信することが可能とされる。
・ワイヤレスデバイス１１０Ａ〜Ｃは、測定ギャップにおいて、キャリア上でＳＲＳを送信する（Ｆ１）ことが、Ｆ１でのサービングセルにおけるＤＬ信号受信のＨＡＲＱ性能が閾値より劣っているという条件で、可能とされる。例えば、ＰＤＳＣＨ受信に対するＨＡＲＱ  ＢＬＥＲがＺ１％より大きい場合、ＵＥは、測定ギャップ、例えば、Ｑ１の測定ギャップ毎のＰ１のギャップにおいて、または、ＨＡＲＱ  ＢＬＥＲが、Ｚ２＜Ｚ１である場合、Ｚ２％より低くなるまで、ＳＲＳを送信することが可能とされる。
・ワイヤレスデバイス１１０Ａ〜Ｃは、測定を行うために使用されるギャップにおいてではなく、測定時間（Ｔ１）中にＳＲＳを送信する（すなわち、ワイヤレスデバイス１１０Ａ〜Ｃが、周波数内またはサービングキャリアにおける測定に利用可能なギャップまたは時間の間にＳＲＳを送信する）場合、サービングキャリア周波数測定（例えば、周波数内測定）に利用可能な最小時間は低減される。この場合、ワイヤレスデバイス１１０Ａ〜Ｃは、１つまたは複数の周波数内測定要件を緩和することが可能とされる。例えば、ワイヤレスデバイス１１０Ａ〜Ｃは以下の１つまたは複数が可能とされる。
・ＳＲＳがＴ１中に送信されない場合と比較して測定時間（例えば、測定周期、セル検索遅延など）が延長される。
・ＳＲＳがＴ１中に送信されない場合と比較してサービングキャリア上のより少ない数のセルに対して測定が行われる。
・ＳＲＳ送信がセルのシステム情報を獲得するために使用される自律ギャップと一致する場合、ワイヤレスデバイス１１０Ａ〜Ｃはその自律ギャップにおいてＳＲＳを送信することが可能とされない。
・ＳＲＳ送信がセルのシステム情報（ＳＩ）を獲得するために使用される自律ギャップと一致する場合、ワイヤレスデバイス１１０Ａ〜Ｃはその自律ギャップにおいてＳＲＳを送信することが可能とされる。また一方、この場合、ワイヤレスデバイス１１０Ａ〜ＣはＳＩ獲得時間を延長することが可能とされる。
・ワイヤレスデバイス１１０Ａ〜Ｃが、ＳＩを獲得するために使用される自律ギャップにおいてではなく、ＳＩ獲得時間（Ｔ２）中にＳＲＳを送信する（すなわち、ワイヤレスデバイス１１０Ａ〜Ｃが自律ギャップ間でＳＲＳを送信する）場合、ワイヤレスデバイス１１０Ａ〜Ｃは、Ｔ２の間のデータの連続的なＤＬ割り当て下でワイヤレスデバイス１１０Ａ〜Ｃによって実行されなかったＡＣＫ／ＮＡＣＫ送信の数（Ｒ２）に関する要件の第２のセットを満たすことが可能とされ、ワイヤレスデバイス１１０Ａ〜Ｃは、ワイヤレスデバイス１１０Ａ〜ＣがＴ２の間にいずれのＳＲＳも送信しないという条件で、データの連続的なＤＬ割り当て下でワイヤレスデバイス１１０Ａ〜Ｃによって実行されなかったＡＣＫ／ＮＡＣＫ送信の数（Ｒ１）に関する要件の第１のセットを満たす必要があり、この場合、Ｒ２＜Ｒ１である。Ｒ２はＴ２の間に送信されるＳＲＳの数に左右される場合がある。例えば、ＳＲＳがＴ２の間に５の時間リソースで送信されると仮定すれば、Ｒ１＝６０およびＲ２＝５５である。
・ＳＲＳ送信がセルのシステム情報（ＳＩ）を獲得するために使用される自律ギャップと一致する場合、
・ワイヤレスデバイス１１０Ａ〜Ｃはその自律ギャップにおいてＳＲＳを送信することが可能とされず、
・ワイヤレスデバイス１１０Ａ〜Ｃが（Ｔ２）中にＳＲＳを送信する場合、ワイヤレスデバイス１１０Ａ〜Ｃは、Ｔ２の間のデータの連続的なＤＬ割り当て下でワイヤレスデバイス１１０Ａ〜Ｃによって実行されなかったＡＣＫ／ＮＡＣＫ送信の数（Ｒ２）に関する要件の第２のセットを満たすことが可能とされ、ワイヤレスデバイス１１０Ａ〜Ｃは、ワイヤレスデバイス１１０Ａ〜ＣがＴ２の間にいずれのＳＲＳも送信しないという条件で、データの連続的なＤＬ割り当て下でワイヤレスデバイス１１０Ａ〜Ｃによって実行されなかったＡＣＫ／ＮＡＣＫ送信の数（Ｒ１）に関する要件の第１のセットを満たす必要があり、この場合、先述の例のように、Ｒ２＜Ｒ１である。
【００９２】
ある特定の実施形態では、上記の規則のいくつかまたはいずれもまた、以下の追加の条件が満たされるという条件で、適用されてよい。
・ＳＲＳは、サブフレームのある特定のシンボルにおいて送信される（例えば、ＳＲＳがサブフレームのその最終シンボルにおいて送信される時、ワイヤレスデバイス１１０Ａ〜Ｃは、例えば、測定ギャップの前ではなく測定ギャップの直後にサブフレームにおいてこのＳＲＳを送信することができ、またはＳＲＳがサブフレームのｎ番目のシンボル以内に送信される時、測定ギャップの前に送信することが可能とされ得る）。
【００９３】
ある特定の実施形態では、第２の無線信号の受信の適応させた設定は、例えば、次の１つまたは複数を含んでよい。
・ＳＲＳスイッチングに関連している送信による重複を回避／低減／最小化するために測定ギャップに対する時間リソースにおいて設定する
・送信周期性に適応して測定ギャップ周期性および／または長さを設定する（例えば、ＳＲＳ送信による重複を回避するために長さを短縮し、例えば、４０ｍｓから８０ｍｓまで周期性設定を増大させる）
・優先度に基づいて測定ギャップを使用する（例えば、ＳＲＳ送信を優先して少なくともいくつかの測定ギャップを使用しない）
・測定ギャップおよび対応する無線信号受信のせいぜいＰまたはＱ％を減少させる
・測定ギャップの少なくともＳまたはＲ％を使用する
・ＳＲＳスイッチングに関連している送信による重複を回避／低減／最小化するための時間リソースにおいて動作を行う
・ＳＲＳスイッチングに関連している送信と重複する少なくともいくつかのまたは全てのサブフレームにおいて測定ギャップなしで動作を行う
・ＳＲＳスイッチングに関連している送信のための時間リソースに対する少なくともＷの時間リソースによって測定ギャップをシフトする
【００９４】
ステップ４２８において、ワイヤレスデバイス１１０Ａ〜Ｃは適応させた設定を適用することができる。ある特定の実施形態では、適応させた設定を適用することは、例えば、取得した適応させた設定に基づいて、ＳＲＳスイッチングに関連している１つまたは複数の送信を送信すること、および／または１つまたは複数の無線信号を受信することを含んでよい。ある特定の実施形態によると、ＳＲＳスイッチング対象の第１の無線信号は、適応させた設定に従って送信され、かつ、測定ギャップと関連付けられた任意の測定要件が満たされ得るように第２の設定と関連付けられた測定ギャップを考慮する。
【００９５】
図７Ｃは、ある特定の実施形態に従って、ワイヤレスデバイス１１０Ａ〜Ｃによって測定ギャップおよびＳＲＳスイッチングを設定するための別の例示の方法４４０を示す。方法は、特定の実施形態ではＵＥを含むことができる、第１のワイヤレスデバイス１１０Ａ〜Ｃが、ＳＲＳスイッチング対象の、少なくとも１つの第１の無線信号を送信するための第１の設定を取得する時、ステップ４４２において開始してよい。
【００９６】
ステップ４４４において、第２のワイヤレスデバイス１１０Ａ〜Ｃは、少なくとも１つの第２の無線信号を受信するための測定ギャップを指示する第２の設定を取得する。
【００９７】
ステップ４４６において、第２のワイヤレスデバイス１１０Ａ〜Ｃは、上記の少なくとも１つの第１の無線信号を送信する、上記の少なくとも１つの第２の無線信号を受信する、またはこの両方を行うための適応させた設定を取得する。ある特定の実施形態では、適応させた設定は、少なくとも１つの性能特性、要件、または対象を取得することによって取得されてよい。さらにまたは代替的には、適応させた設定は、上記の少なくとも１つの性能特性要件、または対象に従って適応させた設定を判断することによって取得されてよい。
【００９８】
ステップ４４８において、第２のワイヤレスデバイス１１０Ａ〜Ｃは、適応させた設定に従って送信するおよび／または受信する。よって、ＳＲＳスイッチング対象の第１の無線信号は、適応させた設定に従って送信され、かつ、測定ギャップと関連付けられた任意の測定要件が満たされ得るように第２の設定と関連付けられた測定ギャップを考慮する。
【００９９】
オプションとして、方法は、ネットワークノード１１５Ａ〜Ｃまたは第２のワイヤレスデバイス１１０Ａ〜Ｃに適応させた設定を指示することを含んでよい。
【０１００】
図７Ｄは、ある特定の実施形態に従って、ワイヤレスデバイス１１０Ａ〜Ｃによって測定ギャップおよびＳＲＳスイッチングを設定するための別の例示の方法４６０を示す。方法は、第２のワイヤレスデバイス１１０Ａ〜Ｃが、ＳＲＳスイッチング対象の少なくとも１つの第１の無線信号を受信するための第１の設定を取得する時、ステップ４６２において開始してよい。
【０１０１】
ステップ４６４において、第２のワイヤレスデバイス１１０Ａ〜Ｃは、上記の少なくとも１つの第１の無線信号を受信するための適応させた設定の指示を第１のワイヤレスデバイス１１０Ａ〜Ｃから受信する。
【０１０２】
ステップ４６６において、第２のワイヤレスデバイス１１０Ａ〜Ｃは、適応させた設定に従って上記の少なくとも１つの第１の無線信号を第１のワイヤレスデバイス１１０Ａ〜Ｃから受信する。
【０１０３】
図７Ｅは、ある特定の実施形態に従って、ワイヤレスデバイス１１０Ａ〜Ｃによって測定ギャップおよびＳＲＳスイッチングを設定するための別の例示の方法４８０を示す。方法は、第１のワイヤレスデバイス１１０Ａ〜Ｃが、ＳＲＳスイッチング対象の少なくとも１つの第１の無線信号を送信するための第１の設定を取得する時、ステップ４８２において開始してよい。
【０１０４】
ステップ４８４において、第１のワイヤレスデバイス１１０Ａ〜Ｃは、少なくとも１つの第２の無線信号を受信するための測定ギャップを指示する第２の設定を取得する。
【０１０５】
ステップ４８６において、第１のワイヤレスデバイス１１０Ａ〜Ｃは、上記の少なくとも１つの第１の無線信号を送信する、または上記の少なくとも１つの第２の無線信号を受信する、またはその両方を行うための適応させた設定の指示をネットワークノード１１５Ａ〜Ｃから受信する。
【０１０６】
ステップ４８８において、第１のワイヤレスデバイス１１０Ａ〜Ｃは、適応させた設定に従って送信するおよび／または受信する。よって、ある特定の実施形態によると、ＳＲＳスイッチング対象の第１の無線信号は、適応させた設定に従って送信され、かつ、測定ギャップと関連付けられた任意の測定要件が満たされ得るように第２の設定と関連付けられた測定ギャップを考慮する。
【０１０７】
図７Ｆは、ある特定の実施形態に従って、第２のワイヤレスデバイス１１０Ａ〜Ｃによって測定ギャップおよびＳＲＳスイッチングを設定するための別の例示の方法４９０を示す。方法は、第２のワイヤレスデバイス１１０Ａ〜Ｃが、第１のワイヤレスデバイス１１０Ａ〜ＣからＳＲＳスイッチング対象の、少なくとも１つの第１の無線信号を受信するための第１の設定を取得する時、ステップ４９２において開始してよい。
【０１０８】
ステップ４９４において、第２のワイヤレスデバイス１１０Ａ〜Ｃは、上記の少なくとも１つの第１の無線信号を受信するための適応させた設定の指示をネットワークノード１１５Ａ〜Ｃから受信する。
【０１０９】
ステップ４９６において、第２のワイヤレスデバイス１１０Ａ〜Ｃは、適応させた設定に従って上記の少なくとも１つの第１の無線信号を第１のワイヤレスデバイス１１０Ａ〜Ｃから受信する。
【０１１０】
ある特定の実施形態において、上述されるように、測定ギャップおよびサウンディング参照信号スイッチングを設定するための方法は、仮想コンピューティングデバイスによって行われてよい。図８は、ある特定の実施形態に従って、測定ギャップおよびサウンディング参照信号スイッチングを設定するための例示の仮想コンピューティングデバイス５００を示す。ある特定の実施形態では、仮想コンピューティングデバイス５００は、図７Ａにおいて示されかつ説明される方法のいずれかに関して上述されるのと同様のステップを行うためのモジュールを含むことができる。例えば、仮想コンピューティングデバイス７００は、第１の取得モジュール５１０と、第２の取得モジュール５２０と、適応モジュール５３０と、送信モジュール５４０と、図７Ａに関して上で開示されるような測定ギャップおよびサウンディング参照信号スイッチングを設定するための任意の他の適したモジュールを含んでよい。いくつかの実施形態では、モジュールの１つまたは複数は上述されるステップのいずれかを行うために図５の１つまたは複数のプロセッサ２２０を使用して実装されてよい。ある特定の実施形態では、さまざまなモジュールの２つ以上の機能は、単一のモジュールに組み合わせられてよい。
【０１１１】
第１の取得モジュール５１０は、仮想コンピューティングデバイス５００の取得機能のいくつかを行うことができる。例えば、特定の実施形態では、第１の取得モジュール５１０は、ＳＲＳスイッチング対象の少なくとも１つの第１の無線信号を送信するための第１の設定を取得することができる。
【０１１２】
第２の取得モジュール５２０は、仮想コンピューティングデバイス５００の取得機能の他のいくつかを行うことができる。例えば、特定の実施形態では、第２の取得モジュール５２０は、少なくとも１つの第２の無線信号を受信するための測定ギャップを指示する第２の設定を取得することができる。
【０１１３】
適応モジュール５３０は、仮想コンピューティングデバイス５００の適応機能を行うことができる。例えば、特定の実施形態では、適応モジュール５３０は、第２の設定を適用しながらＳＲＳスイッチング対象の少なくとも１つの第１の無線信号を送信するための第１の設定を適応させることができる。
【０１１４】
送信モジュール５４０は、仮想コンピューティングデバイス５００の送信機能を行うことができる。例えば、特定の実施形態では、送信モジュール５４０は、第２の設定を適用しながら、適応させた第１の設定に従ってＳＲＳスイッチング対象の少なくとも１つの第１の無線信号を送信することができる。
【０１１５】
仮想コンピューティングデバイス５００の他の実施形態は、図８に示されるもの以外に、上述される機能性のいずれか、および／または（上述される解決策をサポートするために必要な任意の機能性を含む）任意の追加の機能性を含む、ワイヤレスデバイス１１０Ａ〜Ｃの機能性のある特定の態様を提供することを担う場合がある、追加のコンポーネントを含んでよい。代替的には、仮想コンピューティングデバイス５００は、より少ないコンポーネントを含んでよい。単なる１つの例として、単一の取得モジュールは、特定の実施形態に従って、第１の取得モジュール５１０および第２の取得モジュール５２０に関連する上述される機能を行うことができる。さまざまな種々のタイプのワイヤレスデバイス１１０Ａ〜Ｃは、同じ物理ハードウェアを有するが、種々の無線アクセス技術をサポートするように（例えば、プログラミングすることによって）設定されるコンポーネントを含んでよい、または種々の物理コンポーネントを部分的にまたは完全に表すことができる。
【０１１６】
図９は、ある特定の実施形態に従って、測定ギャップおよびサウンディング参照信号スイッチングを設定するための別の例示の仮想コンピューティングデバイス６００を示す。ある特定の実施形態では、仮想コンピューティングデバイス６００は、図７Ｂ〜７Ｆに示されかつ説明される方法のいずれかに関して上述されるものと同様のステップを行うためのモジュールを含んでよい。例えば、単なる１つの例として、仮想コンピューティングデバイス６００は、少なくとも１つの判断モジュール６１０、取得モジュール６２０、適用モジュール６３０、および図７Ｂに関して上で開示されるように、測定ギャップおよびサウンディング参照信号スイッチングを設定するための任意の他の適したモジュールを含んでよい。いくつかの実施形態では、モジュールの１つまたは複数は、上述されるステップのいずれかを行うために、図５の１つまたは複数のプロセッサ２２０を使用して実装されてよい。ある特定の実施形態では、さまざまなモジュールの２つ以上の機能は単一のモジュールに組み合わせられてよい。
【０１１７】
判断モジュール６１０は、仮想コンピューティングデバイス６００の判断機能を行うことができる。例えば、特定の実施形態では、判断モジュール６１０は、ＳＲＳスイッチング（例えば、ＲＡＣＨ、ＳＲＳなど）との関連で１つまたは複数の第１の無線信号を送信する必要性を判断することができる。別の例として、判断モジュール６１０または別の判断モジュール６１０は、測定ギャップを使用する間に１つまたは複数の第２の無線信号を受信する必要性を判断することもできる。
【０１１８】
取得モジュール６２０は、仮想コンピューティングデバイス６００の取得機能を行うことができる。例えば、特定の実施形態では、取得モジュール６２０は、第１の無線信号の送信および／または第２の無線信号の受信についての適応させた設定を取得することができる。
【０１１９】
適用モジュール６３０は、仮想コンピューティングデバイス６００の適用機能を行うことができる。例えば、特定の実施形態では、適用モジュール６３０は適応させた設定を適用することができる。
【０１２０】
仮想コンピューティングデバイス６００の他の実施形態は、図６に示されるもの以外に、上述される機能性および／または（上述される解決策をサポートするために必要な任意の機能性を含む）任意の追加の機能性のいずれかを含む、ワイヤレスデバイス１１０Ａ〜Ｃの機能性のある特定の態様を提供することを担う場合がある、追加のコンポーネントを含んでよい。さまざまな種々のタイプのワイヤレスデバイス１１０Ａ〜Ｃは、同じ物理ハードウェアを有するが、種々の無線アクセス技術をサポートするように（例えば、プログラミングすることによって）設定されるコンポーネントを含んでよい、または種々の物理コンポーネントを部分的にまたは完全に表すことができる。
【０１２１】
図１０は、ある特定の実施形態に従って、測定ギャップおよびサウンディング参照信号スイッチングを設定するための例示のネットワークノード１１５Ａ〜Ｃを示す。上述されるように、ネットワークノード１１５Ａ〜Ｃは、ワイヤレスデバイスおよび／または別のネットワークノードと通信する任意のタイプの無線ネットワークノードまたは任意のネットワークノードであってよい。ネットワークノード１１５Ａ〜Ｃの例は上に挙げられている。
【０１２２】
ネットワークノード１１５Ａ〜Ｃは、ホモジニアス配置、ヘテロジニアス配置、または混合配置として、ネットワーク１００全体を通して配置されてよい。ホモジニアス配置は、一般的に、同じ（または同様の）タイプのネットワークノード１１５Ａ〜Ｃおよび／または同様のカバレッジ、ならびに、セルサイズおよびサイト間距離で構成されている配置について説明可能である。ヘテロジニアス配置は、一般的に、種々のセルサイズ、送信電力、容量、およびサイト間距離を有するさまざまなタイプのネットワークノード１１５Ａ〜Ｃを使用する配置について説明可能である。例えば、ヘテロジニアス配置は、マクロセルレイアウト全体を通して設置される複数の低電力ノードを含むことができる。混合配置は、ホモジニアス部分およびヘテロジニアス部分の混合を含むことができる。
【０１２３】
ネットワークノード１１５Ａ〜Ｃは、トランシーバ７１０、プロセッサ７２０、メモリ７３０、およびネットワークインターフェース７４０の１つまたは複数を含んでよい。いくつかの実施形態では、トランシーバ７１０は、（例えばアンテナを介して）ワイヤレスデバイス１１０Ａ〜Ｃに対するワイヤレス信号の送信およびワイヤレス信号の受信を容易にし、プロセッサ７２０は、ネットワークノード１１５によって提供されるような上述される機能性の一部または全てを提供するための命令を実行し、メモリ７３０は、プロセッサ７２０によって実行される命令を記憶し、ネットワークインターフェース７４０は、ゲートウェイ、スイッチ、ルータ、インターネット、公衆交換電話網（ＰＳＴＮ）、コアネットワークノード、または無線ネットワークコントローラといった、バックエンドネットワークコンポーネントに対して信号を通信する。
【０１２４】
ある特定の実施形態では、ネットワークノード１１５Ａ〜Ｃは、マルチアンテナ技法を使用可能とすることができ、多重アンテナを装備でき、ＭＩＭＯ技法をサポート可能とすることができる。１つまたは複数のアンテナでは、偏波が制御可能であってよい。換言すれば、それぞれのエレメントは、種々の偏波（例えば、交差偏波などの９０度の分離）を有する２つの共同設置されるサブエレメントを有することができ、それによって、ビーム形成荷重の種々のセットによって放出波は種々の偏波になる。
【０１２５】
プロセッサ７２０は、ネットワークノード１１５Ａ〜Ｃの説明した機能の一部または全てを行うように、命令を実行しかつデータを操作するために、１つまたは複数のモジュールに実装されるハードウェアおよびソフトウェアの任意の適した組み合わせを含むことができる。いくつかの実施形態では、プロセッサ７２０は、例えば、処理回路構成、１つもしくは複数のコンピュータ、１つもしくは複数の中央処理装置（ＣＰＵ）、１つもしくは複数のマイクロプロセッサ、１つもしくは複数のアプリケーション、および／または他の論理を含むことができる。
【０１２６】
メモリ７３０は、一般的に、コンピュータプログラム、ソフトウェア、論理、規則、アルゴリズム、コード、テーブルなどのうちの１つもしくは複数を含むアプリケーション、および／または、プロセッサによって実行可能である他の命令などの命令を記憶するように動作可能である。メモリ７３０の例には、コンピュータメモリ（例えば、ランダムアクセスメモリ（ＲＡＭ）または読み出し専用メモリ（ＲＯＭ））、大容量記憶媒体（例えば、ハードディスク）、取り外し可能記憶媒体（例えば、コンパクトディスク（ＣＤ）またはデジタルビデオディスク（ＤＶＤ））、ならびに／または、情報を記憶する任意の他の揮発性もしくは不揮発性、非一時的なコンピュータ可読および／もしくはコンピュータ実行可能メモリデバイスが挙げられる。
【０１２７】
いくつかの実施形態では、ネットワークインターフェース７４０は、プロセッサ７２０に通信可能に結合され、ネットワークノード１１５Ａ〜Ｃに対する入力を受信する、ネットワークノード１１５Ａ〜Ｃからの出力を送る、入力、出力、もしくはこの両方の適した処理を行う、他のデバイスに通信する、または、前述の任意の組み合わせを行うように動作可能である任意の適したデバイスに言及することができる。ネットワークインターフェース７４０は、適切なハードウェア（例えば、ポート、モデム、ネットワークインターフェースカードなど）、ならびに、ネットワークを通して通信するための、プロトコル変換およびデータ処理能力を含むソフトウェアを含むことができる。
【０１２８】
ネットワークノード１１５Ａ〜Ｃの他の実施形態は、図１０に示されるもの以外に、上述される機能性および／または（上述される解決策をサポートするために必要な任意の機能性を含む）任意の追加の機能性のいずれかを含む、無線ネットワークノードの機能性のある特定の態様を提供することを担う場合がある、追加のコンポーネントを含むことができる。さまざまな種々のタイプのネットワークノードは、同じ物理ハードウェアを有するが、種々の無線アクセス技術をサポートするように（例えばプログラミングによって）設定されるコンポーネントを含むことができる、または、異なる物理コンポーネントを部分的にまたは完全に表すことができる。さらに、第１のおよび第２のといった用語は、例示の目的のためだけに示され、入れ替え可能である。
【０１２９】
図１１Ａ〜図１１Ｄは、ある特定の実施形態に従って、無線ノード１１５Ａ〜Ｃによる例示の方法を示す。具体的には、図１１Ａは、ネットワークノード１１５Ａ〜Ｃにおいて、ある特定の実施形態に従って、測定ギャップおよびＳＲＳスイッチングを設定するための例示の方法８００を示す。方法は、ネットワークノード１１５Ａ〜Ｃが、ワイヤレスデバイス１１０Ａ〜ＣによってＳＲＳスイッチング対象の少なくとも１つの第１の無線信号の送信と関連付けられた第１の設定を取得する時、ステップ８０２において開始する。
【０１３０】
ステップ８０４において、ネットワークノード１１５Ａ〜Ｃは、ワイヤレスデバイスによって少なくとも１つの第２の無線信号を受信するための測定ギャップを指示する第２の設定を取得する。ある特定の実施形態において、第２の無線信号を受信するための第２の設定を取得することは、例えば、以下の１つまたは複数に基づいてよい。
・例えば、ＵＥ推奨設定、ＵＥ能力、ＳＯＮまたはＯ＆Ｍに基づく設定による、別のノード（例えば、ＵＥまたは別のネットワークノード）から受信されたメッセージまたは設定
・あらかじめ規定された規則
・履歴
・ＳＲＳスイッチングを行うＵＥ、および／または周波数間またはＲＡＴ間動作中に送信することができない場合があるＵＥの存在
・（例えば、ＳＲＳスイッチング関連送信の優先度がより高い場合にＤＬ送信設定を適応させる）優先度
【０１３１】
ステップ８０６において、ネットワークノード１１５Ａ〜Ｃは、第１の設定を、第２の設定を適用しながらＳＲＳスイッチング対象の少なくとも１つの第１の無線信号のワイヤレスデバイス１１０Ａ〜Ｃによる送信に適応させる。特定の実施形態では、ネットワークノード１１５Ａ〜Ｃはワイヤレスデバイス１１０Ａ〜Ｃから適応させた第１の設定を受信することができる。
【０１３２】
ある特定の実施形態によると、適応させた第１の設定は、第２の設定の測定ギャップによる重複を回避または低減するためにキャリア間のスイッチングの周期性を変更する。ある特定の実施形態によると、第１の設定を適応させることは、少なくとも１つの性能特性、要件、または対象を取得することと、上記の少なくとも１つの性能特性、要件、または対象に従って第１の設定を適応させることとを含むことができる。特定の実施形態によると、例えば、ネットワークノード１１５Ａ〜Ｃは、ワイヤレスデバイス１１０Ａ〜Ｃが、第２の設定に従って少なくとも１つの第２の信号と関連付けられた測定を行い、かつ適応させた第１の設定に従って少なくとも１つの第１の信号を送信する間に、１つまたは複数の測定要件が満たされるであろうことを判断することができる。
【０１３３】
さまざまな特定の実施形態によると、適応させた第１の設定は、ワイヤレスデバイス１１０Ａ〜Ｃによる送信が可能とされるＳＲＳ送信のパーセンテージ、ワイヤレスデバイス１１０Ａ〜Ｃによって減少させるＳＲＳ送信のパーセンテージ、ワイヤレスデバイス１１０Ａ〜Ｃによる送信が可能とされるＳＲＳ送信数、および／またはワイヤレスデバイス１１０Ａ〜Ｃによって減少させるＳＲＳ送信数を特定することができる。さらにまたは代替的には、適応させた第１の設定は、測定ギャップによる重複を低減するために少なくとも１つの第１の信号を送信するための時間リソース、測定ギャップの間に生じない少なくとも１つの第１の信号を送信するための時間リソース、および／または測定ギャップによる重複を回避または低減するために少なくとも１つの第１の信号を送信しないための時間リソースを特定することができる。
【０１３４】
ある特定の実施形態によると、第１の設定を適応させることは、例えば、
・ワイヤレスデバイスが測定ギャップなしで信号を受信することが不可能であることを適応させること
・ワイヤレスデバイスによる同時送信／受信の能力に基づいて適応させること
・ＳＲＳスイッチングに関連しているワイヤレスデバイスの送信による重複を回避／低減／最小化するようにするための時間リソースにおいてＤＬ送信を設定すること
・ワイヤレスデバイス送信周期性に適応して信号周期性を設定すること（例えば、ＳＲＳ送信による受信不能を理由にＤＬにおいてより頻繁に送信する）
・ワイヤレスデバイス動作、またはＳＲＳスイッチングに関連している送信による重複を回避／低減／最小化するためのワイヤレスデバイス動作の開始を設定すること
・ＤＬ送信と、ＳＲＳスイッチングに関連している送信との間のオフセットが少なくともＷの時間リソースであることを保証すること
・送信を遅延／延期／再開すること、の１つまたは複数をさらに含んでよい。
【０１３５】
ステップ８０８において、ネットワークノード１１５Ａ〜Ｃは、ワイヤレスデバイス１１０Ａ〜Ｃに適応させた第１の設定を送信する。ある特定の実施形態によると、ＳＲＳスイッチング対象の第１の無線信号は、適応させた設定に従って送信され、かつ、測定ギャップと関連付けられた任意の測定要件が満たされ得るように第２の設定と関連付けられた測定ギャップを考慮する。よって、ＳＲＳスイッチング対象の第１の無線信号は、適応させた設定に従って送信され、かつ、測定ギャップと関連付けられた任意の測定要件が満たされ得るように第２の設定と関連付けられた測定ギャップを考慮する。
【０１３６】
図１１Ｂは、ネットワークノード１１５Ａ〜Ｃが、少なくとも１つのワイヤレスデバイス１１０Ａ〜Ｃに対して、ＳＲＳスイッチング（例えば、ＲＡＣＨ、ＳＲＳなど）との関連で第１の無線信号の１つまたは複数を送信する必要性を判断する時、無線ノードによってステップ８２２で開始する例示の方法８２０を示す。ある特定の実施形態では、このステップは、ワイヤレスデバイス１１０Ａ〜Ｃに関連している図７Ｂにおいて上述されたようなものであってよい。さらに他の実施形態では、ネットワークノード１１５Ａ〜Ｃは、ワイヤレスデバイスの送信設定および／またはＳＲＳスイッチング設定を認識することができるため、必要性を判断することができる。
【０１３７】
ステップ８２４において、ネットワークノード１１５Ａ〜Ｃは、少なくとも１つのワイヤレスデバイス１１０Ａ〜Ｃに対して、測定ギャップを使用する間に第２の無線信号の１つまたは複数を受信する必要性を判断することができる。ある特定の実施形態では、このステップは、ワイヤレスデバイス１１０Ａ〜Ｃに関連している図７Ｂにおいて上述されたようなものであってよい。別の実施形態では、ネットワークノード１１５Ａ〜Ｃは、ワイヤレスデバイス１１０Ａ〜Ｃが受信することになっている信号の送信設定を認識することができるため、その必要性を判断することができる。さらに他の実施形態では、判断するステップは、さらにまたは代替的には、ネットワークノード１１５Ａ〜Ｃが、ワイヤレスデバイス１１０Ａ〜Ｃから受信される能力情報を使用することを含んでよい。
【０１３８】
ステップ８２６では、ネットワークノード１１５Ａ〜Ｃは、第１の無線信号のワイヤレスデバイス１１０Ａ〜Ｃの送信および／もしくは第２の無線信号のワイヤレスデバイスの受信について適応させた設定、ならびに／または第２の無線信号の送信設定を取得することができる。ある特定の実施形態では、ネットワークノード１１５Ａ〜Ｃは、少なくとも１つの性能特性、要件、または対象を取得することができる。他の実施形態では、ネットワークノード１１５Ａ〜Ｃは、取得した性能特性／要件／対象に関する適応を行ってよい。また、方法および規則は、ワイヤレスデバイス１１０Ａ〜Ｃに関連している図７Ｂに関して上述されるものと同様であってよい。
【０１３９】
ある特定の実施形態では、第２の無線信号の送信設定を取得することは、例えば、以下の１つまたは複数に基づいてよい。
・例えば、ＵＥ推奨設定、ＵＥ能力、ＳＯＮまたはＯ＆Ｍに基づく設定による、別のノード（例えば、ＵＥまたは別のネットワークノード）から受信されたメッセージまたは設定
・あらかじめ規定された規則
・履歴
・ＳＲＳスイッチングを行うＵＥ、および／または周波数間もしくはＲＡＴ間動作中に送信することができない場合があるＵＥの存在
・（例えば、ＳＲＳスイッチング関連送信の優先度がより高い場合にＤＬ送信設定を適応させる）優先度
【０１４０】
第２の無線信号の送信設定を適応させることは、例えば、
・測定ギャップなしで信号を受信することが不可能であるＵＥを適合させるように適応させること
・同時送信／受信のＵＥ能力に基づいて適応させること
・ＳＲＳスイッチングに関連しているＵＥの送信による重複を回避／低減／最小化するようにするための時間リソースにおいてＤＬ送信を設定すること
・ＵＥ送信周期性に適応して信号周期性を設定すること（例えば、ＳＲＳ送信による受信不能を理由にＤＬにおいてより頻繁に送信する）
・ＵＥ動作、またはＳＲＳスイッチングに関連している送信による重複を回避／低減／最小化するためのＵＥ動作の開始を設定すること
・ＤＬ送信と、ＳＲＳスイッチングに関連している送信との間のオフセットが少なくともＷの時間リソースであることを保証すること
・送信を遅延／延期／再開すること、の１つまたは複数をさらに含んでよい。
【０１４１】
ステップ８２８では、ネットワークノード１１５Ａ〜Ｃは適応させた設定を適用することができる。ある特定の実施形態では、適応させた設定を適用することは、例えば、適応させた設定に基づいて、ＳＲＳスイッチング、ＳＲＳスイッチングに関連している送信、測定ギャップ、第２の無線信号送信の１つまたは複数を設定することを含んでよい。
【０１４２】
ステップ８３０では、ネットワークノード１１５Ａ〜Ｃは、適応させた設定に基づいて取得した結果、例えば、ワイヤレスデバイス１１０Ａ〜Ｃからの測定結果、ワイヤレスデバイス１１０Ａ〜Ｃからの無線信号送信、ワイヤレスデバイスの測定ギャップ設定などを取得することができる。
【０１４３】
図１１Ｃは、ある特定の実施形態に従って、ネットワークノード１１５Ａ〜Ｃによって測定ギャップおよびＳＲＳスイッチングを設定するための別の例示の方法８４０を示す。方法は、ＳＲＳスイッチングを適用する第１のワイヤレスデバイス１１０Ａ〜Ｃに少なくとも１つの第２の無線信号を送信するための測定ギャップを指示する第２の設定をネットワークノードが取得する時、ステップ８４２で開始してよい。第１のワイヤレスデバイス１１０Ａ〜Ｃは特定の実施形態においてＵＥを含んでよい。
【０１４４】
ステップ８４４において、ネットワークノード１１５Ａ〜Ｃは、上記の少なくとも１つの第２の無線信号を送信するための適応させた設定の指示を第１のワイヤレスデバイス１１０Ａ〜Ｃから受信する。
【０１４５】
ステップ８４６において、ネットワークノード１１５Ａ〜Ｃは、適応させた設定に従って上記の少なくとも１つの第２の無線信号を第１のワイヤレスデバイス１１０Ａ〜Ｃに送信する。よって、ある特定の実施形態によると、ＳＲＳスイッチング対象の第１の無線信号は、適応させた設定に従って送信され、かつ、測定ギャップと関連付けられた任意の測定要件が満たされ得るように第２の設定と関連付けられた測定ギャップを考慮する。
【０１４６】
図１１Ｄは、ある特定の実施形態に従って、ネットワークノード１１５Ａ〜Ｃによって測定ギャップおよびＳＲＳスイッチングを設定するための別の例示の方法８６０を示す。方法は、ＳＲＳスイッチング対象の少なくとも１つの第１の無線信号を第１のワイヤレスデバイスが送信することに関する第１の設定をネットワークノード１１５Ａ〜Ｃが取得する時、ステップ８６２で開始してよい。第１のワイヤレスデバイス１１０Ａ〜Ｃは、特定の実施形態においてＵＥを含んでよい。
【０１４７】
ステップ８６４では、ネットワークノード１１５Ａ〜Ｃは、少なくとも１つの第２の無線信号を第１の無線デバイス１１０Ａ〜Ｃが受信することに関する測定ギャップを指示する第２の設定を取得する。
【０１４８】
ステップ８６６では、ネットワークノード１１５Ａ〜Ｃは、第１のワイヤレスデバイス１１０Ａ〜Ｃが、少なくとも１つの第１の無線信号を送信する、少なくとも１つの第２の無線信号を受信する、またはこの両方を行うことに関する適応させた設定を取得する。
【０１４９】
ステップ８６８では、ネットワークノード１１５Ａ〜Ｃは、第１のワイヤレスデバイス１１０Ａ〜Ｃに適応させた設定を指示する。
【０１５０】
ある特定の実施形態では、上述されるような測定ギャップおよびサウンディング参照信号スイッチングを設定するための方法は、仮想コンピューティングデバイスによって行われてよい。図１２は、ある特定の実施形態に従って、測定ギャップおよびサウンディング参照信号スイッチングを設定するための例示の仮想コンピューティングデバイス９００を示す。ある特定の実施形態では、仮想コンピューティングデバイス９００は、図１１Ａに示されかつ説明される方法のいずれかに関して上述されるものと同様のステップを行うためのモジュールを含んでよい。例えば、仮想コンピューティングデバイス９００は、第１の取得モジュール９１０と、第２の取得モジュール９２０と、適応モジュール９３０と、送信モジュール９４０と、図１１Ａに関して上で開示されるような測定ギャップおよびサウンディング参照信号スイッチングを設定するための任意の他の適したモジュールを含んでよい。いくつかの実施形態では、モジュールの１つまたは複数は上述されるステップのいずれかを行うために図１０の１つまたは複数のプロセッサ７２０を使用して実装されてよい。ある特定の実施形態では、さまざまなモジュールの２つ以上の機能は、単一のモジュールに組み合わせられてよい。
【０１５１】
第１の取得モジュール５１０は、仮想コンピューティングデバイス９００の取得機能のいくつかを行うことができる。例えば、特定の実施形態では、第１の取得モジュール９１０は、ワイヤレスデバイス１１０Ａ〜Ｃによる、ＳＲＳスイッチング対象の少なくとも１つの第１の無線信号の送信と関連付けられた第１の設定を取得することができる。
【０１５２】
第２の取得モジュール９２０は、仮想コンピューティングデバイス９００の取得機能の他のいくつかを行うことができる。例えば、特定の実施形態では、第２の取得モジュール９２０は、ワイヤレスデバイス１１０Ａ〜Ｃによる、少なくとも１つの第２の無線信号を受信するための測定ギャップを指示する第２の設定を取得することができる。
【０１５３】
適応モジュール９３０は、仮想コンピューティングデバイス９００の適応機能を行うことができる。例えば、特定の実施形態では、適応モジュール９３０は、第２の設定を適用しながらＳＲＳスイッチング対象の少なくとも１つの第１の無線信号を送信するための第１の設定を適応させることができる。
【０１５４】
送信モジュール９４０は、仮想コンピューティングデバイス９００の送信機能を行うことができる。例えば、特定の実施形態では、送信モジュール９４０は、適応させた第１の設定をワイヤレスデバイス１１０Ａ〜Ｃに送信することができる。
【０１５５】
仮想コンピューティングデバイス９００の他の実施形態は、図１２に示されるもの以外に、上述される機能性のいずれかを含む、ネットワークノード１１５Ａ〜Ｃの機能性のある特定の態様を提供することを担う場合がある追加のコンポーネントを含んでよい、および／または（任意の機能性９００を含む）任意の追加の機能性はより少ないコンポーネントを含んでよい。単なる１つの例として、単一の取得モジュールは、特定の実施形態に従って、第１の取得モジュール９１０および第２の取得モジュール９２０に関連する上述される機能を行うことができる。さまざまな種々のタイプのネットワークノード１１５Ａ〜Ｃは、同じ物理ハードウェアを有するが、種々の無線アクセス技術をサポートするように（例えば、プログラミングすることによって）設定されるコンポーネントを含んでよい、または種々の物理コンポーネントを部分的にまたは完全に表すことができる。
【０１５６】
図１３は、ある特定の実施形態に従って、測定ギャップおよびサウンディング参照信号スイッチングを設定するための別の例示の仮想コンピューティングデバイス１０００を示す。ある特定の実施形態では、仮想コンピューティングデバイス１０００は、図１１Ｂ〜図１１Ｄに示されかつ説明される方法のいずれかに関して上述されるものと同様のステップを行うためのモジュールを含んでよい。例えば、単なる１つの例として、仮想コンピューティングデバイス１０００は、少なくとも１つの判断モジュール１０１０、取得モジュール１０２０、適用モジュール１０１４、および図１１Ｂに関して上で開示されるように、測定ギャップおよびサウンディング参照信号スイッチングを設定するための任意の他の適したモジュールを含んでよい。いくつかの実施形態では、モジュールの１つまたは複数は、上述されるステップのいずれかを行うために、図１０の１つまたは複数のプロセッサ７２０を使用して実装されてよい。ある特定の実施形態では、さまざまなモジュールの２つ以上の機能は単一のモジュールに組み合わせられてよい。
【０１５７】
判断モジュール１０１０は、仮想コンピューティングデバイス１０００の判断機能を行うことができる。例えば、特定の実施形態では、判断モジュール１０１０は、ＳＲＳスイッチング（例えば、ＲＡＣＨ、ＳＲＳなど）との関連で１つまたは複数の第１の無線信号を送信する必要性を判断することができる。別の例として、判断モジュール１０１０または別の判断モジュール１０１０は、測定ギャップを使用する間に１つまたは複数の第２の無線信号を受信する必要性を判断することもできる。
【０１５８】
取得モジュール１０２０は、仮想コンピューティングデバイス１０００の取得機能を行うことができる。例えば、特定の実施形態では、取得モジュール１０２０は、第１の無線信号の送信および／または第２の無線信号の受信についての適応させた設定を取得することができる。別の例として、取得モジュール１０２０は、適用された後に適応させた設定に基づいて取得した結果を取得することができる。例えば、取得モジュール１０２０はワイヤレスデバイス１１０Ａ〜Ｃから測定結果を取得することができる。
【０１５９】
適用モジュール１０３０は、仮想コンピューティングデバイス１０００の適用機能を行うことができる。例えば、特定の実施形態では、適用モジュール１０３０は適応させた設定を適用することができる。
【０１６０】
仮想コンピューティングデバイス１０００の他の実施形態は、図１３に示されるもの以外に、上述される機能性および／または（上述される解決策をサポートするために必要な任意の機能性を含む）任意の追加の機能性のいずれかを含む、ネットワークノード１１５Ａ〜Ｃの機能性のある特定の態様を提供することを担う場合がある、追加のコンポーネントを含んでよい。さまざまな種々のタイプのネットワークノード１１５Ａ〜Ｃは、同じ物理ハードウェアを有するが、種々の無線アクセス技術をサポートするように（例えば、プログラミングすることによって）設定されるコンポーネントを含んでよい、または種々の物理コンポーネントを部分的にまたは完全に表すことができる。
【０１６１】
図１４は、ある特定の実施形態に従って、例示の無線ネットワークコントローラまたはコアネットワークノード１１００を示す。ネットワークノードの例として、移動交換局（ＭＳＣ）、サービングＧＰＲＳサポートノード（ＳＧＳＮ）、モビリティ管理エンティティ（ＭＭＥ）、無線ネットワークコントローラ（ＲＮＣ）、および基地局コントローラ（ＢＳＣ）などを挙げることができる。無線ネットワークコントローラまたはコアネットワークノード１１００は、プロセッサ１１２０、メモリ１１３０、およびネットワークインターフェース１１４０を含む。いくつかの実施形態では、プロセッサ１１２０は、ネットワークノードによって提供されるような、上述される機能性の一部または全てを提供するための命令を実行し、メモリ１１３０は、プロセッサ１１２０によって実行される命令を記憶し、ネットワークインターフェース１１４０は、ゲートウェイ、スイッチ、ルータ、インターネット、公衆交換電話網（ＰＳＴＮ）、ネットワークノード１１５、無線ネットワークコントローラまたはコアネットワークノード９００などといった、任意の適したノードに信号を通信する。
【０１６２】
プロセッサ１１２０は、無線ネットワークコントローラまたはコアネットワークノード１１００の説明した機能の一部または全てを行うように命令を実行しかつデータを操作するために１つまたは複数のモジュールに実装されるハードウェアおよびソフトウェアの任意の適した組み合わせを含むことができる。いくつかの実施形態では、プロセッサ１１２０は、例えば、処理回路構成、１つまたは複数のコンピュータ、１つまたは複数の中央処理装置（ＣＰＵ）、１つまたは複数のマイクロプロセッサ、１つまたは複数のアプリケーション、および／または他の論理を含むことができる。
【０１６３】
メモリ１１３０は、一般的に、コンピュータプログラム、ソフトウェア、論理、規則、アルゴリズム、コード、テーブルなどのうちの１つまたは複数を含むアプリケーション、および／または、プロセッサによって実行可能である他の命令などの命令を記憶するように動作可能である。メモリ１１３０の例として、コンピュータメモリ（例えば、ランダムアクセスメモリ（ＲＡＭ）または読み出し専用メモリ（ＲＯＭ））、大容量記憶媒体（例えば、ハードディスク）、取り外し可能記憶媒体（例えば、コンパクトディスク（ＣＤ）またはデジタルビデオディスク（ＤＶＤ））、ならびに／または、情報を記憶する任意の他の揮発性もしくは不揮発性、非一時的なコンピュータ可読および／もしくはコンピュータ実行可能メモリデバイスが挙げられる。
【０１６４】
いくつかの実施形態では、ネットワークインターフェース１１４０は、プロセッサ１１２０に通信可能に結合され、かつ、ネットワークノードに対する入力を受信する、ネットワークノードからの出力を送る、入力、出力、またはこの両方の適した処理を行う、他のデバイスに通信する、または、前述の任意の組み合わせを行うように動作可能である任意の適したデバイスに言及することができる。ネットワークインターフェース１１４０は、ネットワークを通して通信するために、プロトコル変換およびデータ処理能力を含む、適切なハードウェア（例えば、ポート、モデム、ネットワークインターフェースカードなど）およびソフトウェアを含むことができる。
【０１６５】
ネットワークノードの他の実施形態は、図１４に示されるもの以外に、上述される機能性および／または（上述される解決策をサポートするために必要な任意の機能性を含む）任意の追加の機能性のいずれかを含む、ネットワークノードの機能性のある特定の態様を提供することを担う場合がある、追加のコンポーネントを含むことができる。
【０１６６】
本開示の範囲から逸脱することなく、本明細書に説明されるシステムおよび装置に対して、修正、追加、または省略が行われてよい。システムおよび装置のコンポーネントは、一体化または分離可能である。また、システムおよび装置の動作は、より多くの、より少ない、または他のコンポーネントによって行われてよい。さらに、システムおよび装置の動作は、ソフトウェア、ハードウェア、および／または他の論理を含む任意の適した論理を使用して行われてよい。本明細書において使用されるように、「それぞれの」は、あるセットのそれぞれのメンバ、またはあるセットのあるサブセットのそれぞれのメンバに言及する。
【０１６７】
本開示の範囲から逸脱することなく、本明細書に説明される方法に対して、修正、追加、または省略が行われてよい。該方法は、より多くの、より少ない、または他のステップを含むことができる。さらに、ステップは任意の適した順序で行われてよい。
【０１６８】
本開示はある特定の実施形態に関して説明されているが、当業者には、実施形態の代替および置換が明らかとなろう。それ故に、実施形態の上記説明は本開示を制約しない。本開示の趣旨および範囲から逸脱することなく、以下の特許請求の範囲によって規定されるように、他の変更、代入、および代替が可能である。
【図１】
0006840233.tif 000002
【図２】
0006840233.tif 000003
【図３】
0006840233.tif 000004
【図４】
0006840233.tif 000005
【図５】
0006840233.tif 000006
【図６】
0006840233.tif 000007
【図７Ａ】
0006840233.tif 000008
【図７Ｂ】
0006840233.tif 000009
【図７Ｃ】
0006840233.tif 000010
【図７Ｄ】
0006840233.tif 000011
【図７Ｅ】
0006840233.tif 000012
【図７Ｆ】
0006840233.tif 000013
【図８】
0006840233.tif 000014
【図９】
0006840233.tif 000015
【図１０】
0006840233.tif 000016
【図１１Ａ】
0006840233.tif 000017
【図１１Ｂ】
0006840233.tif 000018
【図１１Ｃ】
0006840233.tif 000019
【図１１Ｄ】
0006840233.tif 000020
【図１２】
0006840233.tif 000021
【図１３】
0006840233.tif 000022
【図１４】
0006840233.tif 000023